(57)【要約】  方法、システム、およびデバイスは、アップリンクチャネル状態とダウンリンクチャネル状態の両方に基づいて、UEのハンドオーバを管理するために説明される。サービング基地局からターゲット基地局へのユーザ機器のハンドオーバは、アップリンクメトリックおよびダウンリンクメトリックの考慮に基づいて、ダウンリンクチャネル測定イベントがトリガされ、報告されたときであっても、持ち越され得、防止され得、または抑制され得る。そのような決定はまた、アップリンクメトリックおよびダウンリンクメトリックに関連付けられた重み係数に基づき得る。重み係数は、ユーザ機器に関するアップリンク送信およびダウンリンク送信の相対値を基地局に通信し得る。他の例では、ユーザ機器のハンドオーバは、サービング基地局とターゲット基地局との間で実現され得る全体的な利益または損失を示す負荷デルタの計算に基づいて、開始または持ち越され得る。
2017511623.tif 000002
【特許請求の範囲】
【請求項１】
ワイヤレス通信におけるハンドオーバを管理するための方法であって、
サービング基地局において、少なくとも1つのアップリンクメトリックを受信するステップであって、前記アップリンクメトリックが第1の重み係数に関連付けられている、ステップと、
重み付きアップリンクメトリックを生成するために、前記アップリンクメトリックに前記第1の重み係数を適用するステップと、
前記重み付きアップリンクメトリックに少なくとも部分的に基づいて、前記サービング基地局からターゲット基地局へのハンドオーバプロセスを持ち越すステップと
を備える方法。
【請求項２】
前記サービング基地局において、少なくとも1つのダウンリンクメトリックを受信するステップであって、前記ダウンリンクメトリックが第2の重み係数に関連付けられている、ステップと、
重み付きダウンリンクメトリックを生成するために、前記ダウンリンクメトリックに前記第2の重み係数を適用するステップと、
前記重み付きダウンリンクメトリックと前記重み付きアップリンクメトリックとの比較に少なくとも部分的に基づいて、前記サービング基地局から前記ターゲット基地局への前記ハンドオーバプロセスをトリガするステップと
をさらに備える、請求項1に記載の方法。
【請求項３】
前記アップリンクメトリックが、電力ヘッドルーム報告(PHR)、バッファ状態報告(BSR)、ライズオーバサーマル(RoT)報告、および物理リソースブロック(PRB)負荷報告のうちの少なくとも1つを備える、請求項1に記載の方法。
【請求項４】
前記ハンドオーバプロセスを持ち越すステップが、
前記サービング基地局が連続する負の電力ヘッドルーム報告(PHR)を受信していることと、前記バッファ状態報告(BSR)が空でないバッファを示すこととを決定するステップを備える、請求項3に記載の方法。
【請求項５】
前記受信されたPHRおよびBSRに少なくとも部分的に基づいて、前記サービング基地局および少なくとも1つの隣接基地局の関する基準信号受信電力(RSRP)報告を要求するステップと、
前記要求に応じて前記サービング基地局および少なくとも1つの隣接基地局に関するRSRP報告を受信するステップと、
前記受信されたRSRP報告の降順に隣接物理セル識別子(PSI)を並べ替えるステップと
をさらに備える、請求項3に記載の方法。
【請求項６】
前記ハンドオーバプロセスを持ち越すステップが、
サービングセルのRoTがターゲットセルのRoTよりも大きいことを決定するステップを備える、請求項3に記載の方法。
【請求項７】
前記ハンドオーバプロセスを持ち越すステップが、
ターゲットセルのアップリンクPRB負荷がサービングセルのアップリンクPRB負荷未満であることを決定するステップを備える、請求項3に記載の方法。
【請求項８】
前記サービング基地局において、ダウンリンクメトリックを受信するステップと、
アップリンクおよびダウンリンク負荷デルタを計算するステップであって、前記負荷デルタが、前記サービング基地局と前記ターゲット基地局との間の全体的な利益または損失を示し、前記負荷デルタが、前記アップリンクメトリックと前記ダウンリンクメトリックの両方に少なくとも部分的に基づく、ステップと
をさらに備える、請求項1に記載の方法。
【請求項９】
前記負荷デルタに少なくとも部分的に基づいて、正味の損失が実現されることを決定すると、前記ハンドオーバプロセスを持ち越すステップをさらに備える、請求項8に記載の方法。
【請求項１０】
前記負荷デルタに少なくとも部分的に基づいて、正味の利益が実現されることを決定すると、前記ハンドオーバプロセスをトリガするステップをさらに備える、請求項8に記載の方法。
【請求項１１】
ハンドオーバイベントトリガが生じた後、前記ハンドオーバプロセスを持ち越すステップであって、前記ハンドオーバイベントトリガが、基準信号受信電力(RSRP)メトリックまたは基準信号受信品質(RSRQ)メトリックのうちの一方に少なくとも部分的に基づいている、ステップをさらに備える、請求項1に記載の方法。
【請求項１２】
ハンドオーバイベントトリガの発生の前に、前記ハンドオーバプロセスを持ち越すステップであって、前記ハンドオーバイベントトリガが、基準信号受信電力(RSRP)メトリックまたは基準信号受信品質(RSRQ)メトリックのうちの一方に少なくとも部分的に基づいている、ステップをさらに備える、請求項1に記載の方法。
【請求項１３】
前記第1の重み係数が、アップリンクデータ転送の相対的重要性を定義する、請求項1に記載の方法。
【請求項１４】
前記第1の重み係数が、ユーザ定義され、前記サービング基地局において受信される、請求項1に記載の方法。
【請求項１５】
前記第1の重み係数が、プリセットされ、前記サービング基地局において受信される、請求項1に記載の方法。
【請求項１６】
前記第1の重み係数が、前記サービング基地局によって設定される、請求項1に記載の方法。
【請求項１７】
前記ハンドオーバプロセスを持ち越すステップが、前記ハンドオーバプロセスを防止する、抑制する、延期する、または停止するステップを備え得る、請求項1に記載の方法。
【請求項１８】
ワイヤレス通信におけるハンドオーバを管理するための装置であって、
サービング基地局において、少なくとも1つのアップリンクメトリックを受信するための手段であって、前記アップリンクメトリックが第1の重み係数に関連付けられている、手段と、
重み付きアップリンクメトリックを生成するために、前記アップリンクメトリックに前記第1の重み係数を適用するための手段と、
前記重み付きアップリンクメトリックに少なくとも部分的に基づいて、前記サービング基地局からターゲット基地局へのハンドオーバプロセスを持ち越すための手段と
を備える装置。
【請求項１９】
前記サービング基地局において、少なくとも1つのダウンリンクメトリックを受信するための手段であって、前記ダウンリンクメトリックが第2の重み係数に関連付けられている、手段と、
重み付きダウンリンクメトリックを生成するために、前記ダウンリンクメトリックに前記第2の重み係数を適用するための手段と、
前記重み付きダウンリンクメトリックと前記重み付きアップリンクメトリックとの比較に少なくとも部分的に基づいて、前記サービング基地局から前記ターゲット基地局への前記ハンドオーバプロセスをトリガするための手段と
をさらに備える、請求項18に記載の装置。
【請求項２０】
前記アップリンクメトリックが、電力ヘッドルーム報告(PHR)、バッファ状態報告(BSR)、ライズオーバサーマル(RoT)報告、および物理リソースブロック(PRB)負荷報告のうちの少なくとも1つを備える、請求項18に記載の装置。
【請求項２１】
前記ハンドオーバプロセスを持ち越すための手段が、
前記サービング基地局が連続する負の電力ヘッドルーム報告(PHR)を受信していることと、前記バッファ状態報告(BSR)が空でないバッファを示すこととを決定するための手段を備える、請求項20に記載の装置。
【請求項２２】
前記受信されたPHRおよびBSRに少なくとも部分的に基づいて、前記サービング基地局および少なくとも1つの隣接基地局の関する基準信号受信電力(RSRP)報告を要求するための手段と、
前記要求に応じて前記サービング基地局および少なくとも1つの隣接基地局に関するRSRP報告を受信するための手段と、
前記受信されたRSRP報告の降順に隣接物理セル識別子(PCI)を並べ替えるための手段と
をさらに備える、請求項20に記載の装置。
【請求項２３】
前記ハンドオーバプロセスを持ち越すための手段が、
サービングセルのRoTがターゲットセルのRoTよりも大きいことを決定するための手段を備える、請求項20に記載の装置。
【請求項２４】
前記ハンドオーバプロセスを持ち越すための手段が、
ターゲットセルのアップリンクPRB負荷がサービングセルのアップリンクPRB負荷未満であることを決定するための手段を備える、請求項20に記載の装置。
【請求項２５】
前記サービング基地局において、ダウンリンクメトリックを受信するための手段と、
アップリンクおよびダウンリンク負荷デルタを計算するための手段であって、前記負荷デルタが、前記サービング基地局と前記ターゲット基地局との間の全体的な利益または損失を示し、前記負荷デルタが、前記アップリンクメトリックと前記ダウンリンクメトリックの両方に少なくとも部分的に基づく、手段と
をさらに備える、請求項18に記載の装置。
【請求項２６】
前記負荷デルタに少なくとも部分的に基づいて、正味の損失が実現されることを決定すると、前記ハンドオーバプロセスを持ち越すための手段をさらに備える、請求項25に記載の装置。
【請求項２７】
前記負荷デルタに少なくとも部分的に基づいて、正味の利益が実現されることを決定すると、前記ハンドオーバプロセスをトリガするための手段をさらに備える、請求項25に記載の装置。
【請求項２８】
ハンドオーバイベントトリガが生じた後、前記ハンドオーバプロセスを持ち越すための手段であって、前記ハンドオーバイベントトリガが、基準信号受信電力(RSRP)メトリックまたは基準信号受信品質(RSRQ)メトリックのうちの一方に少なくとも部分的に基づいている、手段をさらに備える、請求項18に記載の装置。
【請求項２９】
ネットワークハンドオーバを準備するための装置であって、
プロセッサと、
前記プロセッサと電子通信するメモリと
を備え、前記メモリが、命令を具体化し、前記命令が、
サービング基地局において、少なくとも1つのダウンリンクメトリックを受信することであって、前記ダウンリンクメトリックが第2の重み係数に関連付けられている、ことと、
重み付きダウンリンクメトリックを生成するために、前記ダウンリンクメトリックに前記第2の重み係数を適用することと、
前記重み付きダウンリンクメトリックと前記重み付きアップリンクメトリックとの比較に少なくとも部分的に基づいて、前記サービング基地局からターゲット基地局へのハンドオーバプロセスをトリガすることとを行うために、前記プロセッサによって実行可能である、装置。
【請求項３０】
ハンドオーバプロセスを管理するための方法であって、
ユーザ機器(UE)において、測定制御メッセージを受信するステップであって、前記測定制御メッセージが、1つまたは複数の報告しきい値を前記UEに提供する、ステップと、
前記測定制御メッセージに応答して、少なくとも1つのアップリンクメトリックを送信するステップであって、前記少なくとも1つのアップリンクメトリックが、第1の重み係数に関連付けられている、ステップと
を備える方法。
【発明の詳細な説明】
【技術分野】
【０００１】
相互参照
本特許出願は、2014年1月15日に出願し、本出願の譲受人に譲受された、「Intra and Inter-Frequency Handover in LTE With Uplink and Downlink Metrics」と題する、Ray Chaudhuriらによる、米国特許出願第14/156,387号の優先権を主張するものである。
【背景技術】
【０００２】
ワイヤレス通信システムは、音声、ビデオ、パケットデータ、メッセージング、放送、などの様々なタイプの通信コンテンツを提供するために広く展開されている。これらのシステムは、利用可能なシステムリソース(たとえば、時間、周波数、および電力)を共有することによって複数のユーザとの通信をサポートすることができる多元接続システムであり得る。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。
【０００３】
一般に、ワイヤレス多元接続通信は、複数のユーザ機器(モバイルデバイスなどのUE)のための通信を各々が同時にサポートするいくつかの基地局を含み得る。基地局は、ダウンリンクチャネル(たとえば、基地局からUEへの送信用)およびアップリンクチャネル(たとえば、UEから基地局への送信用)上でUEと通信し得る。各基地局は、カバレージ範囲を有し、カバレージ範囲は、セルのカバレージエリアと呼ばれることがある。UEがセルの1つのカバレージエリアから次のカバレージエリアに移動すると、サービング基地局がUEの通信をターゲット基地局にハンドオーバすることが必要になり得る。ハンドオーバは、UEが、満足なダウンリンクチャネル状態を提供する基地局に接続し続けることを可能にする。
【０００４】
従来のワイヤレスネットワークでは、UEのキャリア内またはキャリア間ハンドオーバプロセスは、ダウンリンクチャネル測定値(たとえば、基地局からUEへの送信状態)のみに基づいて開始される。したがって、ダウンリンクチャネル状態がダウンリンクチャネルサービング基地局とUEとの間で悪化すると、ハンドオーバプロセスは、サービング基地局から、改善されたダウンリンクチャネル状態を提供し得るターゲット基地局にUEの制御を転送するために開始される。
【０００５】
しかしながら、UEのアップリンク性能は、そのダウンリンク性能に常に対応しないことがある。たとえば、1つのセルから次のセルへのユーザの移動性に基づいて、UEのダウンリンクチャネル状態は、改善され得るが、UEのアップリンクチャネル状態は、変化しないままであり得る。結果として、ターゲット基地局は、ハンドオーバに続いてUEのための改善されたダウンリンクチャネル状態を提供し得るが、ターゲットセルにおけるアップリンクチャネル状態は、理想的ではない可能性がある。したがって、ダウンリンクチャネル測定値のみに基づいてハンドオーバをトリガすることは、アップリンクデータ通信に関与するユーザのために最適ではない可能性がある。
【発明の概要】
【課題を解決するための手段】
【０００６】
本開示は、全体的に、アップリンクチャネル状態とダウンリンクチャネル状態の両方の考慮に基づいてUEのハンドオーバを管理するための1つまたは複数の改善されたシステム、方法、および/または装置に関する。特定の実施形態では、サービング基地局からターゲット基地局へのユーザ機器のハンドオーバは、アップリンクメトリックおよびダウンリンクメトリックの考慮に基づいて、持ち越され得、延期され得、防止され得、または抑制され得る。そのような決定は、アップリンクメトリックおよびダウンリンクメトリックに関連付けられた重み係数に基づき得る。重み係数は、ユーザ機器のためのアップリンク送信およびダウリンク送信の相対値を基地局に伝達し得る。他の例では、ユーザ機器のハンドオーバは、サービング基地局とターゲット基地局との間で実現され得るユーザ体験における全体的な利益または損失を示す荷重デルタの計算に基づいて開始または持ち越され得る。
【０００７】
例示的な例の第1のセットでは、ワイヤレス通信におけるハンドオーバを管理するための方法が説明される。一例では、方法は、サービング基地局において、少なくとも1つのアップリンクメトリックを受信するステップを含む。アップリンクメトリックは、第1の重み係数に関連付けられ得る。方法は、重み付きアップリンクメトリックを生成するために、アップリンクメトリックに第1の重み係数を適用するステップと、重み付きアップリンクメトリックに少なくとも部分的に基づいて、サービング基地局からターゲット基地局へのハンドオーバプロセスを持ち越すステップとをさらに含み得る。
【０００８】
いくつかの例では、方法は、サービング基地局において、少なくとも1つのダウンリンクメトリックを受信するステップをさらに含み得、ダウンリンクメトリックは、第2の重み係数に関連付けられている。方法は、重み付きダウンリンクメトリックを生成するために、ダウンリンクメトリックに第2の重み係数を適用するステップと、重み付きダウンリンクメトリックと重み付きアップリンクメトリックとの比較に少なくとも部分的に基づいて、サービング基地局からターゲット基地局へのハンドオーバプロセスを開始するステップとを含み得る。
【０００９】
さらなる例では、アップリンクメトリックは、電力ヘッドルーム報告(PHR:power headroom report)、バッファ状態報告(BSR:buffer status report)、ライズオーバサーマル(RoT:Rise over Thermal)、および物理リソースブロック(PRB:Physical Resource Block)負荷報告のうちの少なくとも1つを備え得る。そのような例では、方法は、サービング基地局が連続した負の電力ヘッドルーム報告(PHR)を受信していることと、バッファ状態報告(BSR)が空でないバッファを示していることとを決定するステップを備え得る。さらなる例では、方法は、サービングセルRoTがターゲットセルRoTよりも大きいこと、または、ターゲットセルアップリンクPRB負荷がサービスセルアップリンクPRB負荷よりも小さいことを決定するステップを備え得る。
【００１０】
さらなる例では、方法は、受信したPHRおよびBSRに少なくとも部分的に基づいて、サービング基地局および少なくとも1つの隣接する基地局に関する基準信号受信電力(RSRP:reference signal receive power)報告を要求するステップを含み得る。方法は、要求に応答して、サービング基地局および少なくとも1つの隣接する基地局に関するRSRP報告を受信するステップと、隣接する物理セルID(PCI:physical cell identify)を受信したRSRP報告の降順にソートするステップとをさらに含み得る。
【００１１】
さらに別の例では、方法は、サービング基地局において、ダウンリンクメトリックを受信するステップを含み得る。方法は、アップリンクおよびダウンリンク荷重デルタを計算するステップを備え、荷重デルタは、サービング基地局とターゲット基地局との間の全体的な利益または損失を示す。そのような場合、荷重デルタは、アップリンクメトリックとダウンリンクメトリックの両方に少なくとも部分的に基づき得る。さらなる例では、方法は、荷重デルタに少なくとも部分的に基づいて、正味の損失が実現されることを決定すると、ハンドオーバプロセスを持ち越すステップを備え得る。代替例では、方法は、荷重デルタに少なくとも部分的に基づいて、正味の利益が実現されることを決定すると、ハンドオーバプロセスをトリガするステップを備え得る。
【００１２】
さらなる例では、方法は、ハンドオーバイベントトリガが発生した後、ハンドオーバプロセスを持ち越すステップを備え得る。ハンドオーバイベントトリガは、基準信号受信電力(RSRP)メトリックまたは基準信号受信品質(RSRQ:reference signal receive quality)メトリックの少なくともいずれかに基づき得る。さらに別の例では、方法は、ハンドオーバイベントトリガの発生の前にハンドオーバプロセスを持ち越すステップを備え得、ハンドオーバイベントトリガは、RSRPまたはRSRQメトリックに少なくとも部分的に基づく。
【００１３】
別の例では、第1の重み係数は、アップリンクデータ転送の相対的な重要性を定義し得る。第1の重み係数は、ユーザ定義またはプリセットされ得、サービング基地局において受信され得る。さらに別の例では、重み係数は、サービング基地局によって設定され得る。別の例では、ハンドオーバプロセスを持ち越す方法は、ハンドオーバプロセスを防止する、抑制する、延期する、または停止するプロセスを備え得る。
【００１４】
例示的な例の第2のセットでは、ワイヤレス通信におけるハンドオーバを管理するための装置が説明される。一例では、装置は、サービング基地局において、少なくとも1つのアップリンクメトリックを受信するための手段を備え得る。アップリンクメトリックは、第1の重み係数に関連付けられ得る。装置は、重み付きアップリンクメトリックを生成するために、アップリンクメトリックに第1の重み係数を適用するための手段と、重み付きアップリンクメトリックに少なくとも部分的に基づいて、サービング基地局からターゲット基地局へのハンドオーバプロセスを持ち越すための手段とをさらに備え得る。
【００１５】
例示的な例の第3のセットでは、ネットワークハンドオーバを準備するための装置が説明される。装置は、プロセッサと、プロセッサと電子通信するメモリとを備え得る。メモリは、サービング基地局において、少なくとも1つのダウンリンクメトリックを受信するためにプロセッサによって実行可能な命令を具体化し得る。ダウンリンクメトリックは、第2の重み係数に関連付けられ得る。例示的な例では、方法は、重み付きダウンリンクメトリックを生成するために、ダウンリンクメトリックに第2の重み係数を適用するステップと、重み付きダウンリンクメトリックと重み付きアップリンクメトリックとの比較に少なくとも部分的に基づいて、サービング基地局からターゲット基地局へのハンドオーバプロセスをトリガするステップとを備え得る。
【００１６】
例示的な例の第4のセットでは、ハンドオーバプロセスを管理するための方法が説明される。一例では、方法は、ユーザ機器(UE)において、測定制御メッセージを受信するステップを備え得る。測定制御メッセージは、1つまたは複数の報告しきい値をUEに提供し得る。例示的な例の方法は、測定制御メッセージに応答して、少なくとも1つのアップリンクメトリックを送信するステップをさらに備え得る。少なくとも1つのアップリンクメトリックは、第1の重み係数に関連付けられ得る。
【００１７】
上記は、後に続く詳細な説明がより良く理解され得るために、本開示による例の特徴および技術的利点をむしろ広く概説している。以下で、さらなる特徴および利点を説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。関連する利点とともにそれらの構成と動作方法の両方として本明細書で開示した概念の特徴であると思われる特徴は、添付図面に関連して考慮されたとき、以下の説明からより良く理解されるであろう。図面の各々は、例示および説明の目的のみのために提供され、特許請求の範囲の限定の定義としては提供されない。
【００１８】
本発明の性質および利点のさらなる理解は、以下の図面の参照によって実現され得る。添付図面では、同様の構成要素または特徴は、同じ参照ラベルを有することがある。さらに、同じタイプの様々な構成要素は、同様の構成要素間を区別するダッシュおよび第2の参照ラベルを参照ラベルに続けることによって区別され得る。第1の参照ラベルのみが明細書で使用される場合、説明は、第2の参照ラベルにかかわりなく、同じ第1の参照ラベルを有する同様の構成要素のいずれにも適用可能である。
【図面の簡単な説明】
【００１９】
【図１】本開示の様々な態様による、ワイヤレス通信システムのブロック図である。
【図２】本開示による、基地局の例示的なワイヤレス通信システムのブロック図である。
【図３】本開示による、基地局の例示的なワイヤレス通信システムおよびハンドオーバ制御モジュールのブロック図である。
【図４】本開示による、ハンドオーバ管理モジュールと通信する例示的な重み係数適用モジュールのブロック図である。
【図５】本開示による、ハンドオーバ管理モジュールのブロック図である。
【図６】本開示による、基地局の一例を示す図である。
【図７】本開示による、ユーザ機器の例示的なワイヤレス通信システムのブロック図である。
【図８Ａ】本開示による、対応する重み割当てモジュールを含むユーザ機器の例示的なワイヤレス通信システムのブロック図である。
【図８Ｂ】本開示の態様による、例示的なユーザ機器のブロック図である。
【図９】本開示の様々な態様による、ワイヤレス通信のための方法の一例を示すフローチャートである。
【図１０】本開示の様々な態様による、ワイヤレス通信のための方法の一例を示すフローチャートである。
【図１１】本開示の様々な態様による、ワイヤレス通信のための方法の一例を示すフローチャートである。
【図１２】本開示の様々な態様による、ワイヤレス通信のための方法の一例を示すフローチャートである。
【図１３】本開示の様々な態様による、ワイヤレス通信のための方法の一例を示すフローチャートである。
【図１４】本開示の様々な態様による、ワイヤレス通信のための方法の一例を示すフローチャートである。
【発明を実施するための形態】
【００２０】
説明する実施形態は、アップリンクメトリックとダウンリンクメトリックの両方の考慮に基づいてUEのハンドオーバを管理するためのシステムおよび方法に向けられている。本開示による、ハンドオーバを実行する決定は、イベントの前または後のいずれかに提供され得る。イベントは、基準信号受信電力(RSRP)報告および/または基準信号受信品質(RSRQ)報告に基づき得る。これらの報告のうちの一方(または両方)は、サービング基地局からターゲット基地局へのUEのハンドオーバの開始を引き起こし得る。いくつかの例では、サービング基地局からターゲット基地局へのUEのハンドオーバプロセスは、RSRP報告およびRSRQ報告によって提供されるアップリンクチャネル状態およびダウンリンクチャネル状態の考慮に基づいて、持ち越され得、防止され得、延期され得、または抑制され得る。そのような決定は、アップリンクチャネル状態およびダウンリンクチャネル状態に関連付けられたアップリンクメトリックおよびダウンリンクメトリックに関連付けられた重み係数に基づき得る。重み係数は、UEのためのアップリンク送信およびダウリンク送信の相対値をサービング基地局に伝達し得る。いくつかの例では、UEのハンドオーバは、サービング基地局とターゲット基地局との間で実現され得る全体的な利益または損失を示す荷重デルタの計算に基づいて開始または持ち越され得る。
【００２１】
本明細書で説明する技術は、CDMA、TDMA、FDMA、OFDMA、SC-FDMA、および他のシステムなどの、様々なワイヤレス通信システムのために使用され得る。「システム」および「ネットワーク」という用語は、しばしば互換的に使用される。CDMAシステムは、CDMA2000、ユニバーサル地上無線アクセス(UTRA:Universal Terrestrial Radio Access)、などの無線技術を実装し得る。CDMA2000は、IS-2000、IS-95およびIS-856の標準規格を含む。IS-2000リリース0およびAは、通常、CDMA2000 1X、1Xなどと呼ばれる。IS-856(TIA-856)は、通常、CDMA2000 1xEV-DO、高速パケットデータ(HRPD:High Rate Packet Data)などと呼ばれる。UTRAは、広帯域CDMA(WCDMA(登録商標))と、CDMAの他の変形態とを含む。TDMAシステムは、モバイル通信用グローバルシステム(GSM(登録商標):Global System for Mobile Communications)などの無線技術を実装し得る。OFDMAシステムは、ウルトラモバイルブロードバンド(UMB:Ultra Mobile Broadband)、進化型UTRA(E-UTRA:Evolved UTRA)、IEEE802.11(Wi-Fi)、IEEE802.16(WiMAX)、IEEE802.20、フラッシュOFDM(登録商標)などの無線技術を実装し得る。UTRAおよびE-UTRAは、ユニバーサルモバイル電気通信システム(UMTS:Universal Mobile Telecommunication System)の一部である。3GPPロングタームエボリューション(LTE:Long Term Evolution)、およびLTEアドバンスト(LTE-A:LTE-Advanced)は、E-UTRAを使用するUMTSの新しいリリースである。UTRA、E-UTRA、UMTS、LTE、LTE-A、およびGSM（登録商標）は、「第3世代パートナーシッププロジェクト(3GPP:3rd Generation Partnership Project)」という名称の組織からの文書に記載されている。CDMA2000およびUMBは、「第3世代パートナーシッププロジェクト2(3GPP2)」という名称の組織からの文書に記載されている。本明細書で説明する技術は、上記のシステムおよび無線技術、ならびに他のシステムおよび無線技術のために使用され得る。以下の説明は、しかしながら、例の目的のためにLTEシステムを説明し、技術は、LTE用途を超えて適用可能であるが、LTE用語は、以下の説明の多くにおいて使用される。
【００２２】
以下の説明は、例を提供し、特許請求の範囲に記載の範囲、適用性、または例を限定するものではない。本開示の要旨および範囲から逸脱することなく、説明した要素の機能および配置において変更がなされ得る。種々の例は、必要に応じて、種々の手順もしくは構成要素を省略、置換、または追加することができる。たとえば、説明する方法は、説明する順序とは異なる順序で実行されてもよく、種々のステップが追加、省略、または組み合わせられてもよい。また、いくつかの例に関して説明する特徴は、他の例において組み合わせられ得る。
【００２３】
図1は、本開示の様々な態様による、ワイヤレス通信システム100のブロック図を示す。ワイヤレス通信システム100は、複数の基地局105(たとえば、eNB、WLANアクセスポイント、または他のアクセスポイント)と、いくつかのユーザ機器(UE)115と、コアネットワーク130とを含む。基地局105のうちのいくつかは、基地局コントローラ(図示せず)の制御によりUE115と通信し得、基地局コントローラは、コアネットワーク130の一部であり得、または様々な例では、基地局105のうちの特定のものであり得る。基地局105のうちのいくつかは、バックホール132を介してコアネットワーク130と制御情報および/またはユーザデータを通信し得る。いくつかの例では、基地局105のうちのいくつかは、バックホールリンク134を介して互いに、直接または間接的に通信し得、バックホールリンク134は、ワイヤード通信リンクまたはワイヤレス通信リンクであり得る。ワイヤレス通信システム100は、複数のキャリア(異なる周波数の波形信号)における動作をサポートし得る。マルチキャリア送信機は、複数のキャリア上で同時に変調信号を送信し得る。たとえば、各通信リンク125は、様々な無線技術に従って変調されたマルチキャリア信号であり得る。各変調信号は、異なるキャリア上で送信され得、制御情報(たとえば、基準信号、制御チャネルなど)、オーバヘッド情報、データなどを搬送し得る。
【００２４】
基地局105は、1つまたは複数の基地局アンテナを介して、UE115とワイヤレス通信することができる。基地局105の各々は、それぞれのカバレージエリア110のための通信カバレージを提供し得る。いくつかの例では、基地局105は、アクセスポイント、基地トランシーバ局(BTS:base transceiver station)、無線基地局、無線トランシーバ、基本サービスセット(BSS:basic service set)、拡張サービスセット(ESS:extended service set)、NodeB、進化型NodeB(eNB)、ホームNodeB、ホームeNodeB、WLANアクセスポイント、WiFiノード、または他の適切な用語で呼ばれ得る。基地局105のためのカバレージエリア110は、カバレージエリアの一部分のみを構成するセクタ(図示せず)に分割され得る。ワイヤレス通信システム100は、異なるタイプ(たとえば、マクロ基地局、マイクロ基地局、および/またはピコ基地局)の基地局105を含み得る。基地局105はまた、セルラー無線アクセス技術および/またはWLAN無線アクセス技術などの異なる無線技術を利用し得る。基地局105は、同じまたは異なるアクセスネットワークまたはオペレータの配備に関連付けられ得る。同じもしくは異なるタイプの基地局105のカバレージエリアを含む、同じもしくは異なる無線技術を利用する、および/または同じもしくは異なるアクセスネットワークに属する異なる基地局105のカバレージエリアは、重複し得る。
【００２５】
いくつかの例では、UE115-aは、サービングセル110-aの端部に移動すると、サービング基地局105-aと通信し得る。そのような実施形態では、サービング基地局105-aの信号強度は、UE115-aとのその通信に関して低下し得、したがって、サービング基地局105-aからターゲット基地局105-bへのハンドオーバを必要とし得る。本開示では、UE115のためのハンドオーバ手順に関与する2つの段階、準備段階および実行段階が存在し得る。準備段階では、UE115-aは、サービング基地局105-aに周期的またはイベントベースの測定報告を送信し得る。ハンドオーバプロセスは、UE115-aからサービング基地局105-aへの測定報告の送信に基づいて開始され得る。基地局105-aで測定報告を受信した後、基地局は、ハンドオーバをトリガするかどうかを決定し得、ハンドオーバをトリガする場合、UE115-aがどのターゲット基地局にハンドオーバされるべきかを決定し得る。測定報告以外に、他の基準も、制御メッセージがハンドオーバの準備をするためにターゲット基地局105-bに送信される前に、サービング基地局105-aによって考慮され得る。本開示のいくつかの例では、そのような基準は、アップリンクメトリックおよびダウンリンクメトリックに関連付けられた重み係数値であり得る。
【００２６】
ハンドオーバを容易にする従来の方法は、基準信号受信電力(RSRP)および/または基準信号受信品質(RSRQ)を含むダウンリンク測定報告に基づいてハンドオーバプロセスを開始することにのみ焦点を当てている。しかしながら、本開示によれば、UE115は、準備段階の間にハンドオーバにおいてネットワークを支援するために、サービング基地局105にアップリンクメトリックとダウンリンクメトリックの両方を含む測定報告を送信し得る。さらなる例では、準備段階が完了し、サービング基地局105-aが、受信した測定報告、ならびにアップリンクメトリックおよびダウンリンクメトリックに関連付けられた重み係数に少なくとも部分的に基づいて、ハンドオーバをトリガすることを決定した後、ターゲット基地局105-bにハンドオーバされることになることをUE115-aに通知するために、実行段階において、ハンドオーバコマンド制御メッセージが、サービング基地局105-aによってUE115-aに送信され得る。メッセージを受信すると、UE115-aは、それ自体をサービング基地局115-aから切断し得、ターゲット基地局105-bとの接続を要求し得る。
【００２７】
他の例では、サービング基地局105-aは、アップリンクメトリックおよびダウンリンクメトリックに関連付けられた重み係数に加えて、アップリンクメトリックおよびダウンリンクメトリックを備える測定報告を受信すると、ハンドオーバプロセスのトリガを持ち越すことを決定し得る。この説明の文脈では、ハンドオーバを持ち越すことは、ハンドオーバプロセスのトリガを防止すること、延期すること、または抑制することであり得る。加えて、ハンドオーバプロセスを持ち越すことは、ある一定期間の間、プロセスの開始を延期することを表し得る。ハンドオーバは、サービング基地局がその決定に続いてUE115にハンドオーバコマンド制御メッセージを発行した後にトリガされ得る。
【００２８】
ワイヤレス通信システム100は、異なるタイプの基地局105が様々な地理的領域のためのカバレージを提供する異種LTE/LTE-Aネットワークであり得、またはそれを含み得る。たとえば、各基地局105は、マクロセル、ピコセル、フェムトセル、および/または他のタイプのセルのための通信カバレージを提供し得る。ピコセル、フェムトセル、および/または他のタイプのセルのような小さいセルは、低電力ノードすなわちLPNを含み得る。マクロセルは、たとえば、比較的大きい地理的エリア(たとえば、半径数キロメートル)をカバーし、ネットワークプロバイダとのサービス加入を有するUEによる無制限のアクセスを可能にし得る。ピコセルは、たとえば、比較的小さい地理的エリアをカバーし、ネットワークプロバイダとのサービス加入を有するUEによる無制限のアクセスを可能にし得る。フェムトセルはまた、たとえば、比較的小さい地理的エリア(たとえば、自宅)をカバーし、無制限のアクセスに加えて、フェムトセルとの関連を有するUE(たとえば、特定の加入者グループ(CSG:closed subscriber group)内のUE、自宅内のユーザのためのUEなど)による制限されたアクセスも提供し得る。マクロセル用のeNBは、マクロeNBと呼ばれることがある。ピコセル用のeNBはピコeNBと呼ばれることがある。そして、フェムトセル用のeNBは、フェムトeNBまたはホームeNBと呼ばれることがある。eNBは、1つまたは複数の(たとえば、2つ、3つ、4つなどの)セルをサポートし得る。
【００２９】
コアネットワーク130は、バックホール132(たとえば、S1アプリケーションプロトコルなど)を介して基地局105と通信し得る。基地局105はまた、バックホールリンク134(たとえば、X2アプリケーションプロトコルなど)を介しておよび/またはバックホール132を介して(たとえば、コアネットワーク130を介して)、直接または間接的に互いに通信し得る。ワイヤレス通信システム100は、同期動作または非同期動作をサポートし得る。同期動作では、eNBは類似するフレームタイミングおよび/またはゲーテイングタイミングを有することがあり、異なるeNBからの送信は、時間的にほぼ揃えられ得る。非同期動作では、eNBは異なるフレームタイミングおよび/またはゲーテイングタイミングを有することがあり、異なるeNBからの送信は、時間的に揃えられないことがある。本明細書で説明される技法は、同期動作または非同期動作のいずれかに使用され得る。
【００３０】
UE115は、ワイヤレス通信システム100全体にわたって分散され得、各UE115は、固定またはモバイルであり得る。UE115はまた、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、またはなにか他の適切な用語で呼ばれ得る。UE115は、セルラー電話、携帯情報端末(PDA)、ワイヤレスモデム、ワイヤレス通信デバイス、ハンドヘルドデバイス、タブレットコンピュータ、ラップトップコンピュータ、コードレス電話、腕時計または眼鏡などの着用可能なアイテム、ワイヤレスローカルループ(WLL:wireless local loop)局などであり得る。UE115は、マクロeNB、ピコeNB、フェムトeNB、リレーなどと通信することが可能であり得る。UE115はまた、セルラーアクセスネットワークもしくは他のWWANアクセスネットワーク、またはWLANアクセスネットワークなどの、異なるタイプのアクセスネットワークを介して通信することが可能であり得る。UE115との通信のいくつかのモードでは、通信は、UEといくつかのセル(たとえば、いくつかの場合では異なる基地局105であり得るサービングセル)のうちの1つとの間に確立されている各チャネルまたはコンポーネントキャリアと、複数の通信リンク125またはチャネル(すなわち、コンポーネントキャリア)を介して行われ得る。
【００３１】
ワイヤレス通信システム100内に示す通信リンク125は、アップリンク(UL)通信(たとえば、UE115から基地局105への送信)を搬送するためのアップリンクチャネル(もしくはコンポーネントキャリア)、および/またはダウンリンク(DL)通信(たとえば、基地局105からUE115への送信)を搬送するためのダウンリンクチャネル(もしくはコンポーネントキャリア)を含み得る。UL通信または送信はまた、逆方向リンク通信または送信と呼ばれることがあり、DL通信または送信は、順方向通信または送信と呼ばれることがある。
【００３２】
本開示のいくつかの例では、DL通信を搬送するためのダウンリンクチャネルは、UE115-aがサービングセル110-aからターゲットセル110-bに移動すると消えていくことがある。しかしながら、そのような場合、UL通信を搬送するためのアップリンクチャネル状態は、影響を受けないままであり得る。代替的には、別の例では、アップリンクチャネルは、悪化し得るが、ダウンリンクチャネルは、影響を受けないままであり得る。本開示のさらに別の例では、ULチャネル状態とDLチャネル状態の両方が悪化し得る。本開示によれば、UE115-aは、通信リンク125を介して、アップリンクメトリックとダウンリンクメトリックの両方を含む測定報告をサービング基地局105-aに送信し得る。UE115-aは、アップリンクメトリックおよびダウンリンクメトリックに関連付けられた重み係数をサービング基地局にさらに送信し得る。測定報告および関連する重み係数は、集合的にまたは別々にサービング基地局105-aに送信され得る。
【００３３】
図2は、本開示の様々な態様による、ワイヤレス通信で使用するための装置105-cのブロック図200を示す。いくつかの例では、装置105-cは、図1を参照して説明した1つまたは複数の基地局105の態様の一例であり得る。装置105-cはまた、プロセッサであり得る。装置105-cは、基地局受信機モジュール205、ハンドオーバ管理モジュール210、および/または送信機モジュール215を含み得る。これらの構成要素各々は、互いに通信し得る。
【００３４】
装置105-cの構成要素は、ハードウェアにおける該当する機能の一部またはすべてを実行するように適合された1つまたは複数の特定用途向け集積回路(ASIC:application-specific integrated circuit)を使用して、個別にまたは集合的に実装され得る。代替的には、機能は、1つまたは複数の集積回路上の1つまたは複数の他の処理ユニット(またはコア)によって実行され得る。他の例では、当技術分野で公知の任意の方法でプログラムされ得る他のタイプの集積回路(たとえば、構造化/プラットフォームASIC、フィールドプログラマブルゲートアレイ(FPGA:Field Programmable Gate Array)、および他のセミカスタムIC)が使用され得る。各ユニットの機能はまた、1つまたは複数の汎用または特定用途向けプロセッサによって実行されるようにフォーマットされた、メモリ内に具体化された命令を用いて、全体的または部分的に実装され得る。
【００３５】
受信機モジュール205は、図1を参照して説明したワイヤレス通信システム100の1つまたは複数の通信リンク125などの、ワイヤレス通信システムの1つまたは複数の通信リンクを介して、様々なタイプのデータおよび/または制御信号(すなわち、送信)を受信するために使用され得る。受信機モジュール205は、デバイス105-cが受信したものに関するパケット、データ、および/またはシグナリング情報などの情報を受信し得る。受信された情報は、サービング基地局(装置105-cなど)からターゲット基地局へのハンドオーバ処理をトリガするのか持ち越すのかに関する決定を行うために、ハンドオーバ制御モジュール210によって利用され得る。
【００３６】
ハンドオーバ制御モジュール210は、受信機モジュール205を介するワイヤレス通信の受信を制御するために、および/または、送信機モジュール215を介するワイヤレス通信の送信を制御するために使用され得る。受信機モジュール205を介するワイヤレス通信の受信を制御することは、アップリンクメトリックおよびダウンリンクメトリックに関連付けられた測定報告および重み係数を、図1を参照して説明したワイヤレス通信システム100のユーザ機器115から受信することを含み得る。ハンドオーバ制御モジュール210は、アップリンクメトリックおよびダウンリンクメトリックに関連付けられた受信された測定報告および重み係数に部分的に基づいて、ハンドオーバをトリガするか持ち越すのか(たとえば、防止する、延期する、抑制するなど)を決定するために、受信した通信をさらに使用し得る。いくつかの例では、ハンドオーバ制御モジュール210は、測定報告のための1つまたは複数の報告しきい値をUE115に提供する測定制御メッセージを発行し得る。さらに別の例では、ハンドオーバ制御モジュール210は、ターゲット基地局にハンドオーバされることになることをUEに通知するために、UE115にハンドオーバコマンド制御メッセージを発行し得る。
【００３７】
基地局送信機モジュール215は、少なくとも1つのRF送信機を含み得る。送信機モジュール215は、図1を参照して説明したワイヤレス通信システム100の1つまたは複数の通信リンク125などの、ワイヤレス通信システムの1つまたは複数の通信リンクを介して様々なタイプのデータおよび/または制御信号(すなわち、送信)を送信するために使用され得る。基地局送信機モジュール215は、デバイス105-cが送信したものに関するパケット、データ、および/またはシグナリング情報などの情報を送信し得る。送信された情報は、図1を参照して説明した他の基地局105またはUE115によって利用され得る。
【００３８】
図3は、本開示の様々な態様による、ワイヤレス通信で使用するための装置105-dのブロック図300を示す。いくつかの例では、装置105-dは、図1および/または図2を参照して説明した1つまたは複数の基地局105の態様の一例であり得る。装置105-dまた、プロセッサであり得る。装置105-dは、受信機モジュール205、ハンドオーバ制御モジュール210-a、および/または送信機モジュール215を含み得る。これらの構成要素の各々は、互いに通信し得る。
【００３９】
装置105-dの構成要素は、ハードウェアにおける該当する機能の一部またはすべてを実行するように適合された1つまたは複数のASICを使用して、個別にまたは集合的に実装され得る。代替的には、機能は、1つまたは複数の集積回路上の1つまたは複数の他の処理ユニット(またはコア)によって実行され得る。他の例では、当技術分野で公知の任意の方法でプログラムされ得る他のタイプの集積回路(たとえば、構造化/プラットフォームASIC、FPGA、および他のセミカスタムIC)が使用され得る。各ユニットの機能はまた、1つまたは複数の汎用または特定用途向けプロセッサによって実行されるようにフォーマットされた、メモリ内に具体化された命令を用いて、全体的または部分的に実装され得る。
【００４０】
一実施形態では、受信機モジュール205および送信機モジュール215は、図2を参照して先に説明したように動作し得、機能し得る。受信機モジュール205は、図1を参照して説明したワイヤレス通信システム100の1つまたは複数の通信リンク125などの、ワイヤレス通信システムの1つまたは複数の通信リンクを介して、様々なタイプのデータおよび/または制御信号(すなわち、送信)を受信するために使用され得る。受信機モジュール205は、デバイス105-dが受信したものに関するパケット、データ、および/またはシグナリング情報などの情報を受信し得る。基地局送信機モジュール215は、少なくとも1つのRF送信機を含み得る。送信機モジュール215は、図1を参照して説明したワイヤレス通信システム100の1つまたは複数の通信リンク125などの、ワイヤレス通信システムの1つまたは複数の通信リンクを介して様々なタイプのデータおよび/または制御信号(すなわち、送信)を送信するために使用され得る。基地局送信機モジュール215は、デバイス105-dが送信したものに関するパケット、データ、および/またはシグナリング情報などの情報を送信し得る。
【００４１】
いくつかの例では、ハンドオーバ制御モジュール210-aは、図2を参照して説明したハンドオーバ制御モジュール210の1つまたは複数の態様の一例であり得る。ハンドオーバ制御モジュール210-aは、重み係数適用モジュール305と、ハンドオーバ管理モジュール310とを含み得る。これらの構成要素の各々は、互いに通信し得る。重み係数適用モジュール305は、図2を参照して説明したように、受信モジュール205からアップリンクメトリックおよびダウンリンクメトリックに関連付けられた複数の重み係数を受信し得る。重み係数は、図1を参照して説明したように、UE115から受信され得る。重み係数は、それぞれ、UE115がそのアップリンク送信およびダウンリンク送信に置く相対値を装置105-dに示し得る。たとえば、UE115が、比較的低いデータリンク送信で主なアップリンクデータ転送(たとえば、モバイルデバイスからネットワークまたは他のUEに写真またはビデオをアップロードする)にかかわっている場合、UE115は、ダウンリンク送信と比較して、アップリンク送信により大きい重要性(すなわち、より大きい重み値)を置き得る。対照的に、UE115が、主なダウンリンクデータ送信(たとえば、モバイルデバイスに音楽またはビデオをダウンロードする)にかかわっている場合、UE115は、アップリンク送信と比較して、ダウンリンク送信により大きい重み係数値を置き得る。重み係数適用モジュール305は、UE115から受信機モジュール205において受信された、受信されたアップリンクメトリックおよびダウンリンクメトリックに、複数の受信された重み係数を適用し得る。測定報告および関連する重み係数は、単一の送信または複数の送信のいずれかとして、基地局105-dにおいて受信され得る。
【００４２】
別の例では、ハンドオーバ管理モジュール310は、重み係数適用モジュール305によって受信された情報に部分的に基づいて、ハンドオーバプロセスをトリガするまたは持ち越すことを決定し得る。代替的には、いくつかの例では、ハンドオーバ管理モジュール310は、アップリンクメトリックおよびダウンリンクメトリックに関連付けられた重み係数を適用することなしに、アップリンクメトリックおよびダウンリンクメトリックの受信された測定報告のみに基づいてハンドオーバプロセスをトリガすることまたは持ち越すことを決定し得る。いくつかの例では、ハンドオーバ管理モジュール310は、ハンドオーバプロセスを持ち越すまたはトリガする決定をUE115または隣接基地局(たとえば、ターゲット基地局)に通知するコマンドを発行し得る。
【００４３】
図4は、本開示の様々な態様による、ワイヤレス通信で使用するための装置210-bのブロック図400を示す。いくつかの例では、装置210-bは、図2および/または図3を参照して説明したハンドオーバ制御モジュール210の態様の一例であり得る。装置210-bはまた、プロセッサであり得る。装置210-bは、重み係数適用モジュール305-aおよび/またはハンドオーバ管理モジュール310-aを含み得る。構成要素の各々は、互いに通信し得る。
【００４４】
装置210-bの構成要素は、ハードウェアにおける該当する機能の一部またはすべてを実行するように適合された1つまたは複数のASICを使用して、個別にまたは集合的に実装され得る。代替的には、機能は、1つまたは複数の集積回路上の1つまたは複数の他の処理ユニット(またはコア)によって実行され得る。他の例では、当技術分野で公知の任意の方法でプログラムされ得る他のタイプの集積回路(たとえば、構造化/プラットフォームASIC、FPGA、および他のセミカスタムIC)が使用され得る。各ユニットの機能はまた、1つまたは複数の汎用または特定用途向けプロセッサによって実行されるようにフォーマットされた、メモリ内に具体化された命令を用いて、全体的または部分的に実装され得る。
【００４５】
いくつかの例では、重み係数適用モジュール305-aは、図3を参照して説明した重み係数適用モジュール305の1つまたは複数の態様の一例であり得る。重み係数適用モジュール305-aは、重み付きアップリンクサブモジュール405と、重み付きダウンリンクサブモジュール410と、重み係数比較サブモジュール415とを含み得る。これらの構成要素の各々は、互いに通信し得る。重み係数適用モジュール305-aは、それぞれ、アップリンクメトリックおよびダウンリンクメトリックに関連付けられた複数の重み係数を受信し得る。図2を参照して説明したように、重み係数は、UE115がアップリンク送信およびダウンリンク送信に置く相対値をサービング基地局105に示し得る。たとえば、UE115が、比較的低いデータリンク送信で主なアップリンクデータ転送(たとえば、モバイルデバイスからネットワークまたは他のUEに写真またはビデオをアップロードする)にかかわっている場合、UE115は、ダウンリンク送信と比較して、アップリンク送信により大きい重み係数値を置き得る。対照的に、UE115が、主なダウンリンクデータ送信(たとえば、モバイルデバイスに音楽またはビデオをダウンロードする)にかかわっている場合、UE115は、アップリンク送信と比較して、ダウンリンク送信により大きい重み係数値を置き得る。重み係数適用モジュール305-aは、受信されたアップリンクメトリックおよびダウンリンクメトリックに、複数の受信された重み係数を適用し得る。
【００４６】
いくつかの実施形態は、重み付きアップリンクメトリックと重み付きダウンリンクメトリックとを生成するために、それぞれ、複数の受信された重み係数をアップリンクメトリックおよびダウンリンクメトリックに適用するために、重み付きアップリンクサブモジュール405と重み付きダウンリンクサブモジュール410とを利用し得る。重み付きアップリンクメトリックおよび重み付きダウンリンクメトリックは、その後、重み付きアップリングメトリックが重み付きダウンリンクメトリックよりも大きいかどうかを決定するために、重み係数比較サブモジュール415に供給され得る。重み係数比較サブモジュール415の出力は、ハンドオーバ管理モジュール310-aに提供され得る。ハンドオーバ管理モジュール310-aは、図3を参照して説明したハンドオーバ管理モジュール310の態様の一例であり得る。ハンドオーバ管理モジュール310-aは、次いで、以下でより詳細に説明するように、ハンドオーバプロセスをトリガする、持ち越す、防止する、抑制する、延期する、などをするために、重み係数比較サブモジュール415によって提供された情報を使用し得る。
【００４７】
図5は、本開示の様々な態様による、ワイヤレス通信で使用するための装置210-cのブロック図500を示す。いくつかの例では、装置210-cは、図1、図2、図3、および/または図4に示すハンドオーバ制御モジュール210の態様の一例であり得る。装置210-cは、基地局受信機モジュール205および送信機モジュール215と通信し得る。これらの構成要素の各々は、互いに通信し得る。装置210-cは、プロセッサであり得る。
【００４８】
一実施形態では、装置210-cは、ハンドオーバ管理モジュール310-bを含み得る。いくつかの例では、ハンドオーバ管理モジュール310-bは、図3および/または図4を参照して説明した1つまたは複数のハンドオーバ管理モジュール310の態様の一例であり得る。ハンドオーバ管理モジュール310-bは、測定報告分析サブモジュール505と、負荷比較サブモジュール510と、ハンドオーバトリガサブモジュール515と、ハンドオーバ持ち越しサブモジュール520とを含み得る。これらの構成要素の各々は、互いに通信し得る。
【００４９】
装置210-cの構成要素は、ハードウェアにおける該当する機能の一部またはすべてを実行するように適合された1つまたは複数のASICを使用して、個別にまたは集合的に実装され得る。代替的には、機能は、1つまたは複数の集積回路上の1つまたは複数の他の処理ユニット(またはコア)によって実行され得る。他の例では、当技術分野で公知の任意の方法でプログラムされ得る他のタイプの集積回路(たとえば、構造化/プラットフォームASIC、FPGA、および他のセミカスタムIC)が使用され得る。各ユニットの機能はまた、1つまたは複数の汎用または特定用途向けプロセッサによって実行されるようにフォーマットされた、メモリ内に具体化された命令を用いて、全体的または部分的に実装され得る。
【００５０】
一実施形態では、基地局受信機モジュール205および基地局送信機モジュール215は、図2および/または図3を参照して先に説明したように動作し得、機能し得る。いくつかの例では、測定報告分析サブモジュール505は、ハンドオーバ準備段階の間、アップリンクメトリックおよびダウンリンクメトリックに関連付けられた測定報告を取得し得、分析し得る。測定報告は、サービング基地局105-aおよび隣接基地局105に関連付けられた基準信号受信電力(RSRP)、基準信号受信品質(RSRQ)、電力ヘッドルーム報告(PHR)、バッファ状態報告(BSR)、ライズオーバサーマル(RoT)、および物理リソースブロック(PRB)報告などのダウンリンクメトリックおよびアップリンクメトリックを含み得る。
【００５１】
いくつかの例では、負荷比較サブモジュール510は、測定報告分析サブモジュール505によって提供された測定報告分析に部分的に基づいてサービング基地局105-aからターゲット基地局105-bへのハンドオーバがトリガされたときのユーザ体験に関して実現され得る全体的な利益または損失を示すダウンリンクおよびアップリンク負荷デルタ(Δ)を計算し得る。ハンドオーバ管理モジュール310-bは、アップリンクメトリックとダウンリンクメトリックの両方を考慮して、ハンドオーバプロセスをトリガするのか、ハンドオーバプロセスを持ち越すのかを決定し得る。
【００５２】
いくつかの例では、ハンドオーバトリガサブモジュール515は、図1で先に説明したように、UE115がサービング基地局105-aからターゲット基地局105-bに通信を転送することによって全体的な利益を実現する場合、ハンドオーバプロセスをトリガまたは開始し得る。一例では、ハンドオーバトリガサブモジュール515は、以前に開始されたハンドオーバプロセスをトリガし得る。以前に開始されたハンドオーバプロセスは、サービング基地局105-aにおいて受信されたダウンリンクRSRPおよび/またはRSRQトリガに基づいて開始されていてもよい。さらに別の例では、ハンドオーバトリガサブモジュール515は、アップリンクメトリックとダウンリンクメトリックの両方に部分的に基づいて、ハンドオーバを開始またはトリガし得る。ハンドオーバトリガサブモジュール515は、計算された負荷デルタ(Δ)に基づく、アップリンクユーザ体験が負の影響を受けない、および/またはUE115が全体的な利益を実現するという決定に続いて、ハンドオーバプロセスの実行段階において、UE115にハンドオーバコマンド制御メッセージを発行することによってハンドオーバプロセスをトリガし得る。ハンドオーバコマンドは、ターゲット基地局105-bにハンドオーバされることになることをUE115に通知し得る。ハンドオーバトリガサブモジュール515は、ハンドオーバを準備するようにターゲット基地局105-bに通知する制御メッセージをターゲット基地局105-bにさらに発行し得る。
【００５３】
別の例では、ハンドオーバ持ち越しサブモジュール520は、測定報告分析、ダウンリンクおよびアップリンク負荷デルタ(Δ)、ならびにアップリンクメトリックおよびダウンリンクメトリックに関連付けられた重み係数に部分的に基づいてハンドオーバプロセスがトリガされるのを延期、防止、抑制、または停止し得る。いくつかの実施形態では、持ち越しの長さは、所定のタイマまたはイベントに基づき得る。そのようなイベントの例は、限定はしないが、サービング基地局において、アップリンクメトリックおよびダウンリンクメトリックに関連付けられた更新された測定報告および重み係数を受信することを含み得る。所定のタイマの満了時に、または、アップリンクメトリックおよびダウンリンクメトリックに関連付けられた更新された測定報告および重み係数を受信すると、測定報告分析サブモジュール505および負荷比較サブモジュール510は、サービング基地局105-aからターゲット基地局105-bへのハンドオーバを開始するのか、トリガするのか、または持ち越すのかを再評価し得る。特定の例では、所定のタイマは、不定であり得る。いくつかの実施形態では、ハンドオーバプロセスが持ち越された、防止された、延期された、または抑制されたとき、UE115は、ハンドオーバトリガサブモジュール515がハンドオーバプロセスをトリガするまで、サービング基地局105との通信を維持し得る。このトリガは、ハンドオーバ制御モジュール210-cにおいて受信された更新された測定報告および重み係数に基づき得る。
【００５４】
図6は、本開示の様々な態様による、ワイヤレス通信で使用するための通信システム600のブロック図を示す。このシステム600は、図1に示すシステム100の態様の一例であり得る。システム600は、基地局105-eを含み得る。基地局105-eは、図1、図2、および/または図3を参照して説明した基地局105の一例であり得る。基地局105-eは、アンテナ645と、トランシーバモジュール650と、メモリ680と、プロセッサモジュール670とを含み得、それらの各々は、互いに(たとえば、1つまたは複数のバスを介して)直接または間接的に通信し得る。トランシーバモジュール650は、アンテナ645を介してUE115-bと双方向に通信するように構成され得、UE115-bは、図1を参照して説明したUE115の一例であり得る。
【００５５】
トランシーバモジュール650(および/または基地局105-eの他の構成要素)はまた、1つまたは複数のネットワークと双方向に通信するように構成され得る。いくつかの場合、基地局105-eは、ネットワーク通信モジュール675を介してコアネットワーク130-aおよび/またはコントローラ120と通信し得る。基地局105-eは、eNodeB基地局、ホームeNodeB基地局、NodeB基地局、および/またはホームNodeB基地局の一例であり得る。コントローラ120は、いくつかの場合には、eNodeBなどの基地局105-eに統合され得る。
【００５６】
基地局105-eはまた、基地局105-fおよび基地局105-gなどの他の基地局105と通信し得る。基地局105の各々は、異なる無線アクセス技術などの異なるワイヤレス通信技術を使用してUE115と通信し得る。いくつかの場合、基地局105-eは、基地局通信モジュール665を利用して、105-fおよび/または105-gなどの他の基地局と通信し得る。いくつかの実施形態では、基地局通信モジュール665は、基地局105のいくつかの間の通信を行うために、LTEワイヤレス通信技術内のX2インターフェースを提供し得る。いくつかの実施形態では、基地局105-eは、コントローラ120および/またはコアネットワーク130-aを介して他の基地局と通信し得る。
【００５７】
メモリ680は、ランダムアクセスメモリ(RAM)と読出し専用メモリ(ROM)とを含み得る。メモリ680はまた、実行されたとき、本明細書に記載の様々な機能(たとえば、呼処理、データベース管理、メッセージルーティングなど)をプロセッサモジュール670に実行させるように構成された命令を含むコンピュータ可読コンピュータ実行可能ソフトウェアコード685を含み得る。代替的には、ソフトウェアコード685は、プロセッサモジュール670によって直接実行可能でなくてもよいが、たとえば、コンパイルまたは実行されたとき、本明細書に記載の機能をコンピュータに実行させるように構成され得る。
【００５８】
プロセッサモジュール670は、インテリジェントハードウェアデバイス、たとえば、中央処理装置(CPU)、マイクロコントローラ、特定用途向け集積回路(ASIC)などを含み得る。プロセッサモジュール670は、マイクロフォンを介してオーディオを受信し、そのオーディオを、受信されたオーディオを表す(たとえば、長さ30msなどの)パケットに変換し、そのオーディオパケットをトランシーバモジュール650に提供し、ユーザが話しているかどうかの指示を提供するように構成された、音声エンコーダ(図示せず)を含み得る。代替的に、エンコーダはパケットのみをトランシーバモジュール650に与え、パケット自体の提供または抑制/抑圧が、ユーザが話しているかどうかの指示を与え得る。
【００５９】
いくつかの実施形態では、基地局105-eは、電力ヘッドルーム報告サブモジュール605と、バッファ状態報告サブモジュール610と、ライズオーバサーマル報告サブモジュール615と、物理リソースブロック報告サブモジュール620と、ダウンリンク報告サブモジュール625とを含む測定報告分析モジュール505-aをさらに含み得る。これらの構成要素の各々は、互いに通信し得る。いくつかの例では、測定報告分析モジュール505-aは、図5を参照して説明した1つまたは複数の測定報告分析モジュール505の態様の一例であり得る。
【００６０】
モジュール505-aの構成要素は、ハードウェアにおける該当する機能の一部またはすべてを実行するように適合された1つまたは複数のASICを使用して、個別にまたは集合的に実装され得る。代替的には、機能は、1つまたは複数の集積回路上の1つまたは複数の他の処理ユニット(またはコア)によって実行され得る。他の例では、当技術分野で公知の任意の方法でプログラムされ得る他のタイプの集積回路(たとえば、構造化/プラットフォームASIC、FPGA、および他のセミカスタムIC)が使用され得る。各ユニットの機能はまた、1つまたは複数の汎用または特定用途向けプロセッサによって実行されるようにフォーマットされた、メモリ内に具体化された命令を用いて、全体的または部分的に実装され得る。
【００６１】
いくつかの実施形態では、電力ヘッドルーム報告サブモジュール605は、UE115がデータ送信のために残りを有し得る送信電力の量を示す電力ヘッドルーム報告(PHR)を含む測定報告を受信し得、処理し得る。電力ヘッドルーム報告サブモジュール605による連続する負のPHRインデックスの受信および処理は、UE115のための残りの送信電力の欠如を示し得る。対照的に、正のPHRインデックスを処理することは、UE115のための十分な残りの送信電力ヘッドルームを示し得る。したがって、電力ヘッドルーム報告サブモジュール605は、UE115が後続のデータ転送のために残りを有し得るアップリンク帯域幅の量を推定するために、受信された測定PHR報告を処理する。
【００６２】
別の例では、バッファ状態報告(BSR)サブモジュール610は、UE115からサービング基地局105-aに送信されるべき残りのデータの量を表すインデックス値を示す測定報告を受信し得、処理し得る。より高いBSRインデックス値は、UE115の送信バッファが基地局105に送信されるべき残りのデータを有することを表し得る。対照的に、低いインデックス値は、UE115からサービング基地局105-aに送信されるべき残りのデータの欠如を表し得る。
【００６３】
さらに別の例では、ライズオーバサーマル(RoT)報告サブモジュール615は、基地局105において受信された総干渉と熱雑音との間の比を含む測定報告を処理し得る。いくつかの実施形態では、RoT報告サブモジュール615は、ターゲット基地局105-bにおける輻輳と比較してサービング基地局105-aにおける相対的な輻輳を測定し得る。別の例では、物理リソースブロック(PRB)報告サブモジュール620は、UE115のための割り当てられた物理リソースブロックの割合を決定することを含んで、アップリンクメトリックおよびダウンリンクメトリックに関連付けられた測定報告を処理し得る。
【００６４】
いくつかの実施形態では、ダウンリンク報告サブモジュール625は、UE115とサービング基地局105との間のダウンリンクチャネル状態の指標を提供するRSRPおよび/またはRSRQメトリックを含むダウンリンクメトリックに関連付けられた測定報告を処理し得る。いくつかの実施形態では、ダウンリンク報告サブモジュールは、(図1で説明したように)UE115がサービングセル110-aからターゲットセル110-bに向かって移動し、ダウンリンクチャネル状態が悪化するとき、トリガに基づいてイベントを処理し得る。
【００６５】
トランシーバモジュール650は、パケットを変調し、変調されたパケットを送信のためにアンテナ645に与え、アンテナ645から受信されたパケットを復調するように構成されたモデムを含み得る。基地局105-eのいくつかの例は、単一のアンテナ645を含み得るが、基地局105-eは、好ましくは、キャリアアグリゲーションをサポートし得る複数のリンクのための複数のアンテナ645を含む。たとえば、1つまたは複数のリンクは、モバイルデバイス115-bとのマクロ通信をサポートするために使用され得る。
【００６６】
図6のアーキテクチャによれば、基地局105-eは、通信管理モジュール660をさらに含み得る。通信管理モジュール660は、他の基地局105との通信を管理し得る。例として、通信管理モジュール660は、バスを介して基地局105-eの他の構成要素の一部またはすべてと通信する基地局105-hの構成要素であり得る。代替的に、通信管理モジュール660の機能は、トランシーバモジュール650の構成要素として、コンピュータプログラム製品として、および/またはプロセッサモジュール670の1つもしくは複数のコントローラ要素として実装され得る。
【００６７】
基地局105-eの構成要素は、図2のハンドオーバ制御モジュール210または図3の重み係数適用モジュール305に関連して上記で説明した態様を実装するように構成され得、簡潔さのため、ここでは繰り返されないことがある。
【００６８】
いくつかの実施形態では、トランシーバモジュール650は、アンテナ645と組み合わせて、基地局105-eの他の可能な構成要素とともに、図2、図3、および/または図5を参照して先に説明した基地局受信機モジュール205および基地局送信機モジュール215として動作し得、機能し得る。いくつかの実施形態では、トランシーバモジュール650は、アンテナ645と組み合わせて、基地局105-eの他の可能な構成要素とともに、測定報告分析サブモジュール505-aに、他の基地局105-f/105-g、またはコアネットワーク130-aに、アップリンクデータおよびダウンリンクデータならびに受信された重み係数に関連付けられた測定報告などの情報を送信し得る。
【００６９】
図7は、本開示の様々な態様による、ワイヤレス通信で使用するための装置115-cのブロック図700を示す。いくつかの例では、装置115-cは図1および/または図6を参照して説明した1つまたは複数のUE115の態様の一例であり得る。装置115-cはまた、プロセッサであり得る。装置115-cは、UE受信機モジュール705、重み割当てモジュール710、および/またはUE送信機モジュール715を含み得る。これらの構成要素の各々は、互いに通信し得る。
【００７０】
装置115-cの構成要素は、ハードウェアにおける該当する機能の一部またはすべてを実行するように適合された1つまたは複数の特定用途向け集積回路(ASIC:application-specific integrated circuit)を使用して、個別にまたは集合的に実装され得る。代替的には、機能は、1つまたは複数の集積回路上の1つまたは複数の他の処理ユニット(またはコア)によって実行され得る。他の例では、当技術分野で公知の任意の方法でプログラムされ得る他のタイプの集積回路(たとえば、構造化/プラットフォームASIC、フィールドプログラマブルゲートアレイ(FPGA:Field Programmable Gate Array)、および他のセミカスタムIC)が使用され得る。各ユニットの機能はまた、1つまたは複数の汎用または特定用途向けプロセッサによって実行されるようにフォーマットされた、メモリ内に具体化された命令を用いて、全体的または部分的に実装され得る。
【００７１】
受信機モジュール705は、図1を参照して説明したワイヤレス通信システム100の1つまたは複数の通信リンク125などの、ワイヤレス通信システムの1つまたは複数の通信リンクを介して、様々なタイプのデータおよび/または制御信号(すなわち、送信)を受信するために使用され得る。受信機モジュール705は、UEに1つまたは複数の報告しきい値を提供する基地局105によって送信された測定制御メッセージを含むデバイス115-cが受信したものに関するパケット、データ、および/またはシグナリング情報などの情報を受信し得る。受信機モジュール705はまた、基地局とのダウンリンクチャネルを確立することと、確立されたダウンリンクチャネル上のパケット、データ、および/またはシグナリング情報を受信することとをさらに備え得る。受信された情報は、測定報告を準備し、アップリンクメトリックおよびダウンリンクメトリックに重み係数を割り当て、サービング基地局105-aなどの基地局105に送信するためにユーザ機器送信機モジュール715に測定報告および割り当てられた重み係数を転送するために、重み割当てモジュール710によって利用され得る。
【００７２】
重み割当てモジュール710は、UE115固有の用途に基づいてアップリンクおよびダウン送信にインデックス値を割り当てるために使用され得る。たとえば、UE115のユーザがアップリンクに焦点を当てた用途にかかわっている(たとえば、UEから写真またはビデオをアップロードする)場合、重み割当てモジュール710は、アップリンク送信のためのより大きいインデックス値を指定し得る。逆に、UE115のユーザがダウンリンクに焦点を当てた用途にかかわっている(たとえば、音楽および/またはビデオをダウンロードまたはストリーミングする)場合、重み割当てモジュール710は、アップリンク送信と比較してダウンリンク送信のためにより大きいインデック値の重みを指定する。さらなる例では、UE115が比較的均一にアップリンクデータおよびダウンリンクデータを利用している場合、重み割当てモジュール710は、アップリンク送信とダウンリンク送信の両方に比較的等しいインデックス値の重みを割り当て得る。
【００７３】
UE送信機モジュール715は、少なくとも1つのRF送信機を含み得る。送信機モジュール715は、図1を参照して説明したワイヤレス通信システム100の1つまたは複数の通信リンク125などの、ワイヤレス通信システムの1つまたは複数の通信リンクを介して、様々なタイプのデータおよび/または制御信号(すなわち、送信)を送信するために使用され得る。UE送信機モジュール715は、デバイス115-cが送信したものに関するパケット、データ、および/またはシグナリング情報などの情報を送信し得る。送信された情報は、基地局105によって利用され得、または、他のUE115は、図1を参照して説明したハンドオーバプロセスを促進している。
【００７４】
図8Aは、本開示の様々な態様による、ワイヤレス通信で使用するための装置115-dのブロック図800を示す。いくつかの例では、装置115-dは、図1、図6、および/または図7を参照して説明した1つまたは複数のUE115の態様の一例であり得る。装置115-dはまた、プロセッサであり得る。装置115-dは、ユーザ機器受信機モジュール705、重み係数割当てモジュール710-a、および/または送信機モジュール715を含み得る。これらの構成要素の各々は、互いに通信し得る。
【００７５】
装置115-dの構成要素は、ハードウェアにおける該当する機能の一部またはすべてを実行するように適合された1つまたは複数のASICを使用して、個別にまたは集合的に実装され得る。代替的には、機能は、1つまたは複数の集積回路上の1つまたは複数の他の処理ユニット(またはコア)によって実行され得る。他の例では、当技術分野で公知の任意の方法でプログラムされ得る他のタイプの集積回路(たとえば、構造化/プラットフォームASIC、FPGA、および他のセミカスタムIC)が使用され得る。各ユニットの機能はまた、1つまたは複数の汎用または特定用途向けプロセッサによって実行されるようにフォーマットされた、メモリ内に具体化された命令を用いて、全体的または部分的に実装され得る。
【００７６】
一実施形態では、ユーザ機器受信機モジュール705およびユーザ機器送信機モジュール715は、図7を参照して先に説明したように動作し得、機能し得る。重み割当てモジュール710-aは、動的重み割当てサブモジュール805と、プリセット重み割当てサブモジュール810とをさらに含み得る。動的重み割当てサブモジュール805は、ユーザが、アップリンク送信およびダウンリンク送信に関連付けられた重み係数のための相対的インデックス値を定義することを可能にし得る。ユーザは、ユーザの個人的な好みに基づいて、UE115において構成されたユーザインターフェースを使用してアップリンク送信およびダウンリンク送信のためのインデックス値を指定し得る。アップリンクメトリックおよびダウンリンクメトリックに関連付けられたユーザ定義の重み係数は、サービング基地局105に送信するためのユーザ機器送信機モジュール715に転送され得る。代替的には、動的重み割当てサブモジュールは、UE115における監視されたユーザ活動に部分的に基づいて、アップリンクメトリックおよびダウンリンクメトリックに関連付けられた重み係数を動的に調整し得る。重み割当てモジュール710-aは、アップリンク送信およびダウンリンク送信に関連付けられた重み係数が予め設定され、基地局115に送信するためにUEメモリ内に設定されることを可能にするプリセット重み割当てサブモジュール810をさらに含み得る。
【００７７】
図8Bは、本開示の様々な態様による、ユーザ機器115-eのブロック図850を示す。モバイルデバイス115-eは、様々な構成を有し得、パーソナルコンピュータ(たとえば、ラップトップコンピュータ、ネットブックコンピュータ、タブレットコンピュータなど)、セルラー電話、PDA、デジタルビデオレコーダ(DVR:digital video recorder)、インターネットアプライアンス、ゲームコンソール、電子書籍リーダなどに含まれ得、またはそれらの一部であり得る。機器115-eは、いくつかの場合には、モバイル動作を容易にするために、小型バッテリなどの内部電源(図示せず)を有し得る。いくつかの実施形態では、UE115-eは、上記の図面を参照して説明したUE115のうちの1つの1つまたは複数の態様の一例であり得る。UE115-eは、上記の図面を参照して説明した特徴および機能のうちの少なくとも一部を実装するように構成され得る。モバイルデバイス115-eは、上記の図面を参照して説明した1つまたは複数の基地局105と通信するように構成され得る。
【００７８】
モバイルデバイス115-eは、プロセッサモジュール815と、メモリモジュール820と、少なくとも1つのトランシーバモジュール(トランシーバモジュール835によって表される)と、少なくとも1つのアンテナ(アンテナ845によって表される)と、重み割当てモジュール710-bとを含み得る。これらの構成要素の各々は、1つまたは複数のバス830を介して、直接または間接的に互いに通信し得る。
【００７９】
メモリモジュール820は、ランダムアクセスメモリ(RAM)および/または読出し専用メモリ(ROM)を含み得る。メモリモジュール820は、実行されたとき、アップリンクメトリックおよびダウンリンクメトリックのための重みを決定するための本明細書で説明した様々な機能をプロセッサモジュール815に実行させるように構成された命令を含むコンピュータ可読コンピュータ実行可能ソフトウェア(SW)コード825を記憶し得る。代替的には、ソフトウェアコード825は、プロセッサモジュール815によって直接実行可能でなくてもよいが、(たとえば、コンパイルまたは実行されたとき)本明細書に記載の様々な機能をUE115-eに実行させるように構成され得る。
【００８０】
プロセッサモジュール815は、インテリジェントハードウェアデバイス、たとえば、CPU、マイクロコントローラ、ASICなどを含み得る。プロセッサモジュール815は、トランシーバモジュール835を介して受信された情報、および/または、アンテナ845を介して送信するためにトランシーバモジュール835に送信されるべき情報を処理し得る。プロセッサモジュール815は、単独で、または重み割当てモジュール710-bに関連して、ワイヤレス通信システム内の様々なアップリンクメトリックおよびダウンリンクメトリックに対する重みを決定し、割り当てる様々な態様を処理し得る。
【００８１】
トランシーバモジュール835は、パケットを変調し、送信するためのアンテナ845に変調されたパケットを提供し、アンテナ845から受信されたパケットを復調するように構成されたモデムを含み得る。トランシーバモジュール835は、いくつかの場合には、1つまたは複数の送信機モジュールおよび1つまたは複数の別個の受信機モジュールとして実装され得る。トランシーバモジュール835は、1つまたは複数の基地局105または他のデバイスと、アンテナ845を介して双方向に通信するように構成され得る。UE115-eは、単一のアンテナを含み得るが、UE115-eが複数のアンテナ845を含み得る実施形態が存在し得る。
【００８２】
重み割当てモジュール710-bは、図7および/または図8Aを参照して説明したモジュールの一部またはすべてを実行および/または制御するように構成され得る。重み割当てモジュール710-bもしくはその一部は、プロセッサを含み得、ならびに/または、重み割当てモジュール710-bの機能の一部もしくはすべては、プロセッサモジュール815によって、および/もしくはプロセッサモジュール815に関連して実行され得る。
【００８３】
図9は、本開示の様々な態様による、ワイヤレス通信のための方法900の一例を示すフローチャートである。明確さのため、方法900を、図1、図2、および/または図6を参照して説明した1つまたは複数の基地局105の態様を参照して以下で説明する。いくつかの例では、基地局は、以下に説明する機能を実行するために基地局の機能要素を制御するためにコードの1つまたは複数のセットを実行し得る。
【００８４】
ブロック905では、方法900は、サービング基地局において少なくとも1つのアップリンクメトリックを受信するステップを含み得る。アップリンクメトリックは、第1の重み係数に関連付けられ得る。ブロック905での動作は、図2、図3、および/もしくは図5を参照して説明した基地局受信機モジュール205、ならびに/または図2、図3、図4、および/もしくは図5を参照して説明したハンドオーバ制御モジュール210を使用して実行され得る。
【００８５】
ブロック910では、方法900は、重み付きアップリンクメトリックを生成するために、アップリンクメトリックに第1の重み係数を適用するステップを含み得る。ブロック910での動作は、図2、図3、図4および/もしくは図5を参照して説明したハンドオーバ制御モジュール210、ならびに/または図3および/もしくは図4を参照して説明した重み係数適用モジュール305を使用して実行され得る。
【００８６】
ブロック915では、方法900は、重み付きアップリンクメトリックに少なくとも部分的に基づいて、サービング基地局105-aからターゲット基地局105-bへのハンドオーバプロセスを持ち越すステップを含み得る。ブロック915での動作は、図2、図3、図4および/もしくは図5を参照して説明したハンドオーバ制御モジュール210、ならびに/または図2、図3、図4および/もしくは図5を参照して説明したハンドオーバ管理モジュール310を使用して実行され得る。ブロック915での動作はまた、図5を参照して説明したハンドオーバ持ち越しサブモジュール520によって実行され得る。
【００８７】
方法900のいくつかの例では、サービング基地局105-aは、少なくとも1つのダウンリンクメトリックをさらに受信し得、ダウンリンクメトリックは、第2の重み係数に関連付けられている。図3および/または図4を参照して説明した重み係数適用モジュール305、重み付きアップリンクサブモジュール405、および/または重み付きダウンリンクサブモジュール410は、重み付きダウンリンクメトリックを生成するために、ダウンリンクメトリックに第2の重み係数をさらに適用し得る。いくつかの例では、サービング基地局105-aは、重み付きダウンリンクメトリックと重み付きアップリンクメトリックとの比較に少なくとも部分的に基づいて、サービング基地局105-aからターゲット基地局105-bへのハンドオーバプロセスを開始し得る。ハンドオーバを開始する動作は、図5を参照して説明したように、ハンドオーバトリガサブモジュール515を使用して実行され得る。
【００８８】
方法900のいくつかの例では、アップリンクメトリックは、電力ヘッドルーム報告(PHR)、バッファ状態報告(BSR)、ライズオーバサーマル(RoT)報告、および物理リソースブロック(PRB)負荷報告のうちの少なくとも1つを備え得る。方法900の別の例では、ハンドオーバプロセスを防止するステップは、サービング基地局が連続する負のPHRを受信していることと、BSRが空でないバッファを示していることとを決定するステップを備え得る。ハンドオーバプロセスを防止するかどうかを決定する動作は、図2、図3、図4、および/または図5を参照して説明したハンドオーバ管理モジュール310によって実行され得る。
【００８９】
方法900のいくつかの例では、方法は、受信されたPHRおよびBSRに少なくとも部分的に基づいて、サービング基地局および少なくとも1つの隣接基地局に関する基準信号受信電力(RSRP)報告を要求するステップを備え得る。要求に応じて、方法は、UEからサービング基地局および少なくとも1つの隣接基地局に関するRSRP報告を受信するステップを備え得る。図2、図3、図4、および/または図5を参照して説明したハンドオーバ制御モジュール210は、受信されたRSRP報告の降順において隣接物理セル(PCI)をさらに並べ替え得る。
【００９０】
方法900の他の例では、ハンドオーバプロセスを持ち越すステップは、サービングセルのRoTがターゲットセルのRoTよりも大きいかどうかを決定するステップを備え得る。さらに別の例では、決定は、ターゲットセルのアップリンクPRB負荷がサービングセルのアップリンクPRB負荷よりも小さいことを決定することに基づき得る。さらなる例では、サービング基地局は、ダウンリンクメトリックを受信し得、図2、図3、図4、および/または図5を参照して説明したハンドオーバ制御モジュール210ならびに図5を参照して説明した負荷比較サブモジュール510は、アップリンクおよびダウンリンク負荷デルタ(Δ)を計算し得る。負荷デルタ(Δ)は、サービング基地局とターゲット基地局との間の全体的な利益または損失を示し得る。負荷デルタは、アップリンクメトリックとダウンリンクメトリックの両方に少なくとも部分的にさらに基づき得る。図3、図4、および/または図5を参照して説明したハンドオーバ管理モジュール310は、サービング基地局からターゲット基地局にUE通信をハンドオーバすることによって正味の損失が実現されることになる場合、ハンドオーバプロセスを持ち越すことを、負荷デルタに部分的に基づいて決定し得る。逆に、ハンドオーバ管理モジュール310は、負荷デルタに部分的に基づいて、正味の利益が実現されることを決定すると、ハンドオーバプロセスを開始またはトリガし得る。
【００９１】
方法900の他の例では、図1を参照して説明したサービング基地局105-aは、ハンドオーバイベントトリガが生じた後、ハンドオーバプロセスを持ち越し得、ハンドオーバイベントトリガは、基準信号受信電力(RSRP)メトリックまたは基準信号受信品質(RSRQ)メトリックのうちの一方に少なくとも部分的に基づいたものである。さらに別の例では、サービング基地局105-aは、ハンドオーバイベントトリガの発生の前にハンドオーバプロセスを持ち越し得、ハンドオーバイベントトリガは、RSRPメトリックまたはRSRQメトリックのうちの一方に少なくとも部分的に基づいている。方法900のさらなる例では、受信された第1および第2の重み係数は、それぞれ、UEのためのアップリンクデータ転送およびダウンリンクデータ転送の相対的な重要性を定義したインデックス値を提供し得る。重み係数は、ユーザ定義され得、動的に調整され得、または、UEもしくは基地局においてプリセットされ得る。
【００９２】
したがって、方法900は、ワイヤレス通信を提供し得る。方法900は、単に1つの実施態様であること、および、方法900の動作は、他の実施態様が可能であるように再配置または他の方法で修正され得ることに留意すべきである。
【００９３】
図10は、本開示の様々な態様による、ワイヤレス通信のための方法1000の一例を示すフローチャートである。明確さのため、方法1000を、図1、図2、図3、および/または図6を参照して説明した1つまたは複数の基地局105の態様を参照して以下で説明する。いくつかの例では、基地局105のうちの1つのような基地局は、以下に説明する機能を実行するために、基地局の機能要素を制御するために、コードの1つまたは複数のセットを実行し得る。
【００９４】
ブロック1005では、方法1000は、サービング基地局において、少なくとも1つのアップリンクメトリックを含むUEからの測定報告を受信するステップを含み得る。アップリンクメトリックは、第1の重み係数に関連付けられ得る。ブロック1005での動作は、図2、図3、および/または図5を参照して説明したように基地局受信機モジュール205によって実行され得る。ブロック1010では、サービング基地局は、少なくとも1つのダウンリンクメトリックを含む、UEからの測定報告を受信し得る。ダウンリンクメトリックは、第2の重み係数に関連付けられ得る。ブロック1010での動作はまた、図2、図3、および/または図5を参照して説明したように、基地局受信機モジュール205によって実行され得る。
【００９５】
ブロック1015では、方法1000は、重み付きアップリンクメトリックを生成するために、アップリンクメトリックに第1の重み係数を適用するステップを含み得る。ブロック1015での動作は、より具体的には、図4を参照して説明したように、重み付きアップリンクサブモジュール405によって実行され得る。ブロック1020では、方法1000は、重み付きダウンリンクメトリックを生成するために、ダウンリンクメトリックに第2の重み係数を適用するステップを含み得る。ブロック1020での動作は、より具体的には、図4を参照して説明したように、重み付きダウンリンクサブモジュール410によって実行され得る。
【００９６】
ブロック1025では、方法1000は、重み付きダウンリンクメトリックを重み付きアップリンクメトリックと比較するステップを含み得る。ブロック1025での動作は、より具体的には、図4を参照して説明したように、重み係数比較サブモジュール415によって実行され得る。ブロック1030では、方法1000は、重み付きダウンリンクメトリックが重み付きアップリンクメトリックよりも大きい値を有するかどうかを決定するステップを含み得る。一例では、UEは、ダウンリンクメトリックとの比較において、そのアップリンクデータ送信により高い値を置き得る。さらに別の例では、UEは、アップリンクメトリックとの比較において、そのダウンリンクデータ送信により高い値を置き得る。さらに別の例では、UEは、ダウンリンクメトリックとアップリンクメトリックの両方に等しい値を置き得る。ブロック1030での動作は、より具体的には、図3、図4、および/または図5を参照して説明したように、ハンドオーバ管理モジュール310によって実行され得る。
【００９７】
ブロック1035では、方法1000は、特定のUEについて重み付きアップリンクメトリックが重み付きダウンリンクメトリックよりも大きい値を有すると決定することに少なくとも部分的に基づいてハンドオーバプロセスを持ち越すステップを含み得る。ブロック1035での動作は、より具体的には、図5を参照して説明したように、ハンドオーバ持ち越しサブモジュール520によって実行され得る。逆に、ブロック1040では、方法1000は、特定のUEについて重み付きダウンリンクメトリックが重み付きアップリンクメトリックよりも大きい値を有すると決定されたとき、ハンドオーバプロセスをトリガするステップを含み得る。ブロック1040での動作は、より具体的には、図5を参照して説明したように、ハンドオーバトリガサブモジュール515によって実行され得る。
【００９８】
図11は、本開示の様々な態様による、ワイヤレス通信のための方法1100の一例を示すフローチャートである。明確さのため、方法1100を、図1、図2、図3、および/または図6を参照して説明した1つまたは複数の基地局105の態様を参照して以下で説明する。いくつかの例では、基地局105のうちの1つのような基地局は、以下に説明する機能を実行するために、基地局の機能要素を制御するために、コードの1つまたは複数のセットを実行し得る。
【００９９】
ブロック1105では、方法1100は、サービング基地局において、アップリンクメトリックおよびダウンリンクメトリックのうちの少なくとも1つを備えるUEからの測定報告を受信するステップを含み得る、アップリンクメトリックは、PHR、BSR、RoT報告、およびPRB報告のうちの少なくとも1つを備え得る。サービング基地局は、アップリンク重み係数とダウンリンク重み係数とをさらに受信し得る。ブロック1105での動作は、図2、図3、および/または図5を参照して説明したように、基地局受信機モジュール205によって実行され得る。
【０１００】
ブロック1110では、方法1100は、サービング基地局が連続する負の電力ヘッドルーム報告を受信しているかどうかを決定するステップを含み得る。ブロック1110での動作は、図5および/または図6を参照して説明したように、測定報告分析サブモジュール505によって実行され得る。連続する負のPHR受信の決定は、図6を参照して説明したように、電力ヘッドルーム報告サブモジュール605によってさらに実行され得る。いくつかの例では、電力ヘッドルーム報告サブモジュール605は、UE115がデータ送信のために残りを有し得る送信電力の量を示すPHRを含む測定報告を受信し得、処理し得る。電力ヘッドルーム報告サブモジュール605による連続する負のPHRインデックスの受信および処理は、UE115のために残っている送信電力の欠如をサービング基地局105-aに示し得る。対照的に、正のPHRインデックスを処理することは、UE115のために利用可能な十分な残りの送信電力ヘッドルームを示し得る。したがって、電力ヘッドルーム報告サブモジュール605は、UEが後続のデータ送信のために残りを有し得るアップリンク帯域幅の量を推定するために、受信された測定PHR報告を処理する。
【０１０１】
ブロック1115では、連続する負のPHRがサービング基地局において受信されていないとき、1100の方法は、所定の時間期間の間、待機状態に入る。待機期間は、所定の時間期間全体、または、次の測定報告がサービング基地局105においてUE115から受信されるまでのいずれかの後に満了し得る。更新された測定報告の受信に続いて、1100の方法は、連続する負のPHRがサービング基地局105において受信されているかどうかを決定するために、ブロック1105および1110に再び戻り得る。ブロック1115での動作は、図3、図4、および/または図5を参照して説明したように、ハンドオーバ管理モジュール310によって実行され得る。ブロック1115の動作は、図5および/または図6を参照して説明したように、測定報告分析サブモジュールによってさらに実行され得る。
【０１０２】
ブロック1120では、サービング基地局が連続する負のPHRを受信していると決定されたとき、ハンドオーバ管理モジュール505は、受信されたBSRがUE115における空でないバッファを示すかどうかをさらに決定し得る。バッファ状態報告(BSR)サブモジュール610は、UE115からサービング基地局105-aに送信されるべき残りのデータの量を表すインデックス値を示す測定報告を受信し得、処理し得る。より高いBSRインデックス値は、改善されたアップリンクチャネル状態のための相対的な必要性をサービング基地局に表し得る。同様に、低いインデックス値は、UEからサービング基地局に送信されるべき残りのデータの欠如を表し得、したがって、アップリンクチャネル状態の対応する値を表し得る。BSR測定報告が、UE送信バッファが空であることを示すとき、1100の方法は、所定の時間期間の間、または、更新された測定報告がサービング基地局105において受信されるような時間まで待機するために、ブロック115に戻る。ブロック1120での動作は、図5および/または図6を参照して説明したように、測定報告分析サブモジュール505によって実行され得る。空でないバッファBSR状態の決定は、図6を参照して説明したように、バッファ状態報告サブモジュール610によってさらに実行され得る。
【０１０３】
ブロック1125では、バッファ状態報告サブモジュール610が、UE送信バッファが空でないと決定したとき、図3、図4、および/または図5を参照して説明したように、ハンドオーバ管理モジュール310は、サービング基地局105-aおよび隣接基地局105のための基準信号受信電力(RSRP)報告についてUE115に要求を発行し得る。要求は、図2、図3、および/もしくは図5を参照して説明したように基地局送信機モジュール215に、ならびに/または、図6を参照して説明したようにアンテナ645および/もしくはトランシーバモジュール650に転送され得る。
【０１０４】
図12は、本開示の様々な態様による、ワイヤレス通信のための方法1200の一例を示すフローチャートである。明確さのため、方法1200を、図1、図2、図3、および/または図6を参照して説明した1つまたは複数の基地局105の態様を参照して以下で説明する。いくつかの例では、基地局105のうちの1つのような基地局は、以下に説明する機能を実行するために、基地局の機能要素を制御するために、コードの1つまたは複数のセットを実行し得る。
【０１０５】
ブロック1205では、方法1200は、図11を参照して説明したブロック1125で送信された要求に応答して、個々の物理セル識別子(PCI)を含む、サービング基地局および隣接基地局のためのRSRP報告を受信し得る。受信されたRSRP報告は、サービング基地局105-aおよび隣接基地局105からのUE115によって観測された測定平均電力を提供し得る。図11のブロック1125に記載のように受信された要求に応答して、UE115は、サービング基地局に要求されたRSRP報告を送信し得る。UE115から基地局105にRSRP報告を送信する動作は、図7および/または図8を参照して説明したようにユーザ機器送信機モジュール715によって実行され得る。サービング基地局105-aにおいてRSRP報告を受信するブロック1205での動作は、図2、図3、および/もしくは図5を参照して説明した基地局受信機モジュール205、ならびに/または、図2、図3、図4、および/もしくは図5を参照して説明したハンドオーバ制御モジュール210を使用して実行され得る。
【０１０６】
ブロック1210では、方法1200は受信されたPCIに少なくとも部分的に基づいて、RSRPの降順に隣接基地局105を並べ替え得る。隣接基地局の降順は、UE115から隣接基地局105への平均受信電力を表し得る。ブロック1210での動作は、図2、図3、図4、および/または図5を参照して説明したハンドオーバ制御モジュール210によって実行され得る。
【０１０７】
ブロック1215では、方法1200は、ターゲットセル110-bのRoTがサービングセル110-aのRoT以下であるかどうかを決定するステップを含み得る。ライズオーバサーマル(RoT)サブモジュール615は、基地局105において受信された総干渉と熱雑音との間の比を含むアップリンクメトリックに関連付けられた測定報告を処理し得る。いくつかの実施形態では、RoTサブモジュール615は、受信された測定報告を処理し得、ターゲット基地局における輻輳と比較してサービング基地局における相対的な輻輳を測定し得る。ブロック1215では、ハンドオーバ管理モジュール310は、ターゲットセル110-bにおける相対的な輻輳がサービングセル110-aにおける輻輳未満であるかどうかを決定する。ブロック1215での動作は、図2、図3、図4、および/もしくは図5を参照して説明したハンドオーバ制御モジュール210、または、より具体的には、図5および/または図6を参照して説明したように測定報告分析サブモジュール505のいずれかによって実行され得る。
【０１０８】
ブロック1220では、ターゲットセルのRoTがサービングセルのRoT以下ではないとき、方法1200は、ハンドオーバプロセスを持ち越す。ブロック1220の動作は、図5を参照して説明したように、ハンドオーバ持ち越しサブモジュール520によって実行され得る。ハンドオーバ持ち越しサブモジュール520は、測定報告分析に部分的に基づいて、ハンドオーバプロセスがトリガされるのを延期し得、防止し得、抑制し得、または停止し得る。いくつかの実施形態では、持ち越しの長さは、所定のタイマ、または、サービング基地局においてアップリンクメトリックおよびダウンリンクメトリックに関連付けられた更新された測定報告および重み係数を受信するなどのイベントに基づき得る。所定のタイマの満了時、または、アップリンクメトリックおよびダウンリンクメトリックに関連付けられた更新された測定報告および重み係数を受信すると、測定報告分析サブモジュール505および負荷比較サブモジュール510は、サービング基地局105-aからターゲット基地局105-bへのハンドオーバを開始するのか、トリガするのか、または持ち越すのかを再評価し得る。いくつかの例では、所定のタイマは、不定であり得る。ハンドオーバプロセスが持ち越される、防止される、延期される、または抑制されるいくつかの実施形態では、UE115は、更新された測定報告および重み係数に基づいてハンドオーバトリガサブモジュール515によってトリガされる時間などまで、サービング基地局105との通信を維持する。
【０１０９】
ブロック1225では、ターゲットセルのRoTがサービングセルのRoT以下であるとき、サービング基地局は、RSRPとアップリンクRoTデルタ(Δ)とを計算する。いくつかの例では、アップリンクRoTデルタ(Δ)は、ターゲットセル110-bのRoTからサービングセル110-aのRoTを差し引いた相対的な差を表す。ブロック1225での動作は、図2、図3、図4、および/または図5を参照して説明したハンドオーバ制御モジュール210によって実行され得る。
【０１１０】
ブロック1230では、方法1200は、ターゲットセル110-bとサービングセル110-aとの間の相対的な輻輳の差を表すRoTがRSRPデルタ(Δ)よりも大きいかどうかをさらに決定し得る。基地局105が、RoT(Δ)がRSRP(Δ)未満であると決定した場合、方法は、先に説明したようにハンドオーバを持ち越すためにブロック1220に進む。ブロック1230での動作は、図2、図3、図4、および/または図5を参照して説明したハンドオーバ制御モジュール210によって実行され得る。
【０１１１】
ブロック1235では、方法1200が、RoT(Δ)がRSRP(Δ)よりも大きいと決定したとき、サービング基地局105は、ターゲットセルのPRB負荷がサービングセルのPRB負荷未満であるかどうかをさらに決定し得る。ブロック1235での動作は、図2、図3、図4、および/または図5を参照して説明したハンドオーバ制御モジュール210によって実行され得る。ハンドオーバ制御モジュール210は、サービングセルのアップリンクPRBとの比較においてターゲットセルのアップリンクPRB負荷を最初に決定することによって、ブロック1235の決定を実行し得る。逆に、ハンドオーバ制御モジュール210は、サービングセルのダウンリンクPRBとの比較においてターゲットセルのダウンリンクPRB負荷を最初に決定することによって、ブロック1235の決定を実行し得る。いずれかの例では、アップリンクメトリックおよびダウンリンクメトリックに関するターゲットセルのPRB負荷が、アップリンクメトリックおよびダウンリンクメトリックに関するサービングセルPRB未満である場合、方法1200は、先に説明したようにブロック1220でのハンドオーバプロセスの持ち越しに進む。しかしながら、アップリンクメトリックおよびダウンリンクメトリックに関するターゲットセルPRB負荷がサービングセルPRB未満であると決定された場合、方法1200は、図13でさらに説明するブロック1240に進む。
【０１１２】
図13は、本開示の様々な態様による、図12に示すフローチャートの続きである、ワイヤレス通信のための方法1300の一例を示すフローチャートである。明確さのため、方法1300を、図1、図2、図3、および/または図6を参照して説明した1つまたは複数の基地局105の態様を参照して以下で説明する。いくつかの例では、基地局105のうちの1つのような基地局は、以下に説明する機能を実行するために、基地局の機能要素を制御するために、コードの1つまたは複数のセットを実行し得る。
【０１１３】
ブロック1305では、ターゲットセルのPRB負荷がサービングセルのPRB未満であるとき、サービングセルは、UE115がアップリンクのみのスケジューリングを実行しているかどうかを決定する。ブロック1230での動作は、図2、図3、図4、および/または図5を参照して説明したハンドオーバ制御モジュール210によって実行され得る。ハンドオーバ制御モジュール210は、アップリンクメトリックおよびダウンリンクメトリックに関連付けられた受信された測定報告および重み係数に基づいてそのような決定を行う。UE115がアップリンクのみのデータ転送を実行していることが決定されたとき、ハンドオーバ制御モジュールは、ブロック1310でハンドオーバプロセスをトリガする。ブロック1305の動作は、図5を参照して説明したようにハンドオーバトリガサブモジュール515によって実行され得る。ハンドオーバトリガサブモジュール515は、ターゲット基地局105-bにハンドオーバされることになることをUE115-aに通知するために、実行段階においてUE115-aにハンドオーバコマンド制御メッセージを発行することによって、ハンドオーバプロセスをトリガし得る。ハンドオーバトリガサブモジュール515は、ハンドオーバを準備するために、ターゲット基地局105-bに通知する、ターゲット基地局105-bへの制御モジュールをさらに発行し得る。
【０１１４】
ブロック1315では、UEがアップリンクのみの通信のためにスケジュールされていないと決定されたとき、サービング基地局は、ダウンリンクおよびアップリンク負荷デルタ(Δ)を計算する。ブロック1315の動作は、図5を参照して説明したように、負荷比較サブモジュール512によって実行され得る。負荷比較サブモジュール505は、測定報告分析サブモジュール505によって提供された測定報告分析に部分的に基づいて、サービング基地局からターゲット基地局へのハンドオーバがトリガされた場合に実現され得る全体的な利益または損失を示すダウンリンクおよびアップリンク負荷デルタ(Δ)を計算し得る。
【０１１５】
ブロック1325では、方法1300は、受信されたアップリンクメトリックおよびダウンリンクメトリックにアップリンク重み係数およびダウンリンク重み係数をさらに適用し得る。ブロック1320の動作は、図3および/または図4を参照して説明したように重み係数適用モジュール305によって実行され得る。重み係数適用モジュール305は、図1を参照して説明したようにユーザ機器115から送信された、図2を参照して説明したように受信機モジュール205からのアップリンクメトリックおよびダウンリンクメトリックに関連付けられた複数の重み係数を受信し得る。重み係数は、ユーザ機器115がそのアップリンク送信およびダウンリンク送信にそれぞれ置く相対値を基地局に示し得る。たとえば、ユーザ機器115が、比較的低いデータリンク送信で主なアップリンクデータ転送(たとえば、モバイルデバイスからネットワークまたは他のUEに写真またはビデオをアップロードする)にかかわっている場合、UE115は、ダウンリンク送信と比較して、アップリンク送信により大きい重み係数を置き得る。対照的に、ユーザ機器115が、主なダウンリンクデータ送信(たとえば、モバイルデバイスに音楽またはビデオをダウンロードする)にかかわっている場合、UE115は、アップリンク送信と比較して、ダウンリンク送信により大きい重み係数値を置き得る。重み係数適用モジュール305は、ユーザ機器115から受信機モジュール205において受信された、受信されたアップリンクメトリックおよびダウンリンクメトリックに、複数の受信された重み係数を適用し得る。
【０１１６】
ブロック1325では、方法1300は、計算されたダウンリンクおよびアップリンク負荷デルタならびに関連する重み係数に部分的に基づいて、UEがサービング基地局105-aからターゲット基地局105-bに通信を遷移させることによって全体的な利益または損失を実現するかどうかを決定する。ブロック1325の動作は、図3、図4、および/または図5を参照して説明したようにハンドオーバ管理モジュール310によって実行され得る。
【０１１７】
ブロック1330では、方法1300は、UE115がサービング基地局105-aからターゲット基地局105-bにハンドオーバすることによって正味の損失を実現することになる場合、ハンドオーバプロセスを持ち越し得る。ブロック1330の動作は、図5を参照して説明したようにハンドオーバ持ち越しサブモジュール520によって実行され得る。ハンドオーバ持ち越しサブモジュール520は、測定報告分析、ダウンリンクおよびアップリンク負荷デルタ(Δ)、ならびにアップリンクメトリックおよびダウンリンクメトリックに関連付けられた重み係数に部分的に基づいて、ハンドオーバプロセスがトリガされるのを延期し得、遅延し得、防止し得、抑制し得、または停止し得る。いくつかの実施形態では、持ち越しの長さは、所定のタイマ、または、サービング基地局においてアップリンクメトリックおよびダウンリンクメトリックに関連付けられた更新された測定報告および重み係数を受信するなどのイベントに基づき得る。所定のタイマの満了時、または、アップリンクメトリックおよびダウンリンクメトリックに関連付けられた更新された測定報告および重み係数を受信すると、測定報告分析サブモジュール505および負荷比較サブモジュール510は、サービング基地局105-aからターゲット基地局105-bへのハンドオーバを開始するのか、トリガするのか、または持ち越すのかを再評価し得る。いくつかの例では、所定のタイマは、不定の時間期間の間であり得る。ハンドオーバプロセスが持ち越される、延期される、防止される、または抑制されるいくつかの実施形態では、UE115は、更新された測定報告および重み係数に基づいてハンドオーバトリガサブモジュール515によってトリガされる時間などまで、サービング基地局105との通信を維持する。
【０１１８】
ブロック1335では、方法1300は、サービング基地局105-aが、UE115がサービング基地局105-aからターゲット基地局105-bへのハンドオーバをトリガすることによって全体的な利益を実現することになると決定した場合、ハンドオーバプロセスをトリガし得る。ブロック1335の動作は、図5を参照して説明したようにハンドオーバトリガサブモジュール515によって実行され得る。いくつかの例では、ハンドオーバトリガサブモジュール515は、UE115が図1で先に説明したようにサービング基地局105-aからターゲット基地局105-bに通信を転送することによって全体的な利益を実現することになる場合、ハンドオーバプロセスをトリガまたは開始し得る。一例では、ハンドオーバトリガサブモジュール515は、以前に開始されたハンドオーバプロセスをトリガし得る。以前に開始されたハンドオーバプロセスは、サービング基地局105-aにおいて受信されたイベントベースのダウンリンクRSRPおよび/またはRSRQトリガのみに基づいて開始されていてもよい。さらに別の例では、ハンドオーバトリガサブモジュール515は、アップリンクメトリックとダウンリンクメトリックの両方に部分的に基づいて、ハンドオーバを開始またはトリガし得る。ハンドオーバトリガサブモジュール515は、負荷デルタ(Δ)に基づく、アップリンクユーザ体験が負の影響を受けない、または逆にUEが全体的な利益を実現するという決定に続いて、ターゲット基地局105-bにハンドオーバされることになることをUE115-aに通知するために、実行段階において、UE115-aにハンドオーバコマンド制御メッセージを発行することによってハンドオーバプロセスをトリガし得る。ハンドオーバトリガサブモジュール515は、ハンドオーバを準備するようにターゲット基地局105-bに通知する制御メッセージをターゲット基地局105-bにさらに発行し得る。
【０１１９】
図14は、本開示の様々な態様による、ワイヤレス通信のための方法1400の一例を示すフローチャートである。明確さのため、方法1400を、図1、図6、図7、図8A、および/または図8Bを参照して説明した1つまたは複数のUE115態様を参照して以下で説明する。いくつかの例では、UEは、以下に説明する機能を実行するためにUEの機能要素を制御するためにコードの1つまたは複数のセットを実行し得る。
【０１２０】
ブロック1405では、方法1400は、UE115において測定制御メッセージを受信するステップを含み得る。測定制御メッセージは、UEに1つまたは複数の報告しきい値を提供し得る。ブロック1405での動作は、図7、図8A、および/または図8Bを参照して説明したUE受信機モジュール705を使用して実行され得る。
【０１２１】
ブロック1410では、方法1400は、測定制御メッセージに応答して、少なくとも1つのアップリンクメトリックを送信するステップを含み得る。アップリンクメトリックは、第1の重み係数に関連付けられ得る。ブロック1410での動作は、図7、図8A、および/または図8Bを参照して説明した重み割当てモジュール710を使用して実行され得る。ブロック1410での動作はまた、UE115から基地局105にアップリンクメトリックおよび重み係数を送信する際に、図7、図8A、および/または図8Bを参照して説明したようにUE送信機モジュール715によって実行され得る。
【０１２２】
いくつかの例では、方法1400は、測定制御メッセージに応答して、少なくとも1つのダウンリンクメトリックを送信するステップをさらに備え得る。ダウンリンクメトリックは、第2の重み係数に関連付けられ得る。いくつかの例では、第1および第2の重み係数は、アップリンクデータ転送およびダウンリンクデータ転送の相対的な重要性を定義し得る。さらに別の例では、第1および第2の重み係数は、ユーザ定義され得、またはUEによってプリセットされ得る。
【０１２３】
添付図面に関連して上述した詳細な説明は、例示的な実施形態を説明し、特許請求の範囲内で実装され得る、または特許請求の範囲内にある実施形態のみを表してはいない。本明細書全体にわたって使用される「例示的」という用語は、「一例、実例、または例示として役立つ」ことを意味し、「好ましい」または「他の実施形態よりも有利な」を意味するものではない。詳細な説明は、説明した技術の理解を提供する目的のための具体的な詳細を含む。これらの技術は、しかしながら、これらの具体的な詳細なしに実施され得る。いくつかの例では、周知の構造およびデバイスは、説明した実施形態の概念を不明瞭にすることを避けるために、ブロック図形式で示されている。
【０１２４】
情報および信号は、様々な異なる技術および技法のいずれかを使用して表され得る。たとえば、上記の説明全体にわたって参照され得るデータ、命令、コマンド、情報、信号、ビット、記号、およびチップは、電圧、電流、電磁波、磁界もしくは粒子、光場もしくは粒子、またはそれらの任意の組合せによって表され得る。
【０１２５】
本明細書における開示に関連して説明した様々な例示的なブロックおよびモジュールは、本明細書で説明した機能を実行するように設計された、汎用プロセッサ、デジタル信号プロセッサ(DSP)、特定用途向け集積回路(ASIC)、フィールドプログラマブルゲートアレイ(FPGA)もしくは他のプログラマブル論理デバイス、ディスクリートゲートもしくはトランジスタロジック、ディスクリートハードウェア要素、またはそれらの組合せを用いて実装または実行され得る。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せとして、たとえば、DPSとマイクロプロセッサとの組合せ、複数のマイクロプロセッサ、DSPコアと組み合わせた1つもしくは複数のマイクロプロセッサ、または任意の他のそのような構成として実装され得る。
【０１２６】
本明細書に記載の機能は、ハードウェア、プロセッサによって実行されるソフトウェア、ファームウェア、またはそれらの任意の組合せにおいて実装され得る。プロセッサによって実行されるソフトウェアにおいて実装された場合、機能は、1つまたは複数の命令またはコードとしてコンピュータ可読媒体上で記憶または送信され得る。他の例および実施態様は、本開示および添付の特許請求の範囲の範囲および要旨内にある。たとえば、ソフトウェアの性質のため、上記で説明した機能は、プロセッサによって実行されるソフトウェア、ハードウェア、ファームウェア、ハード配線、またはそれらのいずれかの組合せを使用して実装され得る。機能を実装する特徴はまた、機能の一部が異なる物理的ロケーションで実装されるように分散された状態を含む、様々な位置に物理的に位置していてもよい。また、特許請求の範囲内を含み本明細書で使用される場合、「少なくとも1つの」または「1つまたは複数の」が前置きされた項目のリストで使用される「または」は、たとえば、「A、B、またはCのうちの少なくとも1つ」のリストがAまたはBまたはCまたはABまたはACまたはBCまたはABC(すなわち、AおよびBおよびC)を意味するように、離接的リストを示す。
【０１２７】
コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、同軸ケーブル、光ファイバケーブル、より対線、デジタル加入者線(DSL:digital subscriber line)、または、赤外線、無線、およびマイクロ波などの無線技術を使用して、ソフトウェアがウェブサイト、サーバ、または他の遠隔ソースから送信された場合、同軸ケーブル、光ファイバケーブル、より対線、DSL、または、赤外線、無線、およびマイクロ波などの無線技術は、媒体の定義内に含まれる。本明細書で使用されるディスク(disk)およびディスク(disc)は、コンパクトディスク(CD)、レーザディスク、光ディスク、デジタル多用途ディスク(DVD)、フロッピー(登録商標)ディスク、およびblu-rayディスクを含み、ディスク(disk)は通常、磁気的にデータを再生し、ディスク(disc)は、レーザを用いて光学的にデータを再生する。上記の組合せはまた、コンピュータ可読媒体の範囲内に含まれる。
【０１２８】
本開示の上記の説明は、当業者が本開示を製作または使用することを可能にするために提供される。本開示に対する様々な修正は、当業者には容易に明らかになり、本明細書で定義された一般的な原理は、本開示の要旨または範囲から逸脱することなく他の変形形態に適用され得る。本開示全体にわたって、「例」または「例示的」という用語は、一例または実例を示し、言及する例についてのいかなる選好をも暗示または必要としない。したがって、本開示は、本明細書で説明した例および設計に限定されず、本明細書で開示した原理および新規な特徴と一定する最も広い範囲を与えられるべきである。
【符号の説明】
【０１２９】
100  システム
105  基地局
105-a  サービング基地局
105-b  ターゲット基地局
105-c  装置
105-d  装置
105-e  基地局
105-f  基地局
105-g  基地局
105-h  基地局
110-a  サービングセル
110-b  ターゲットセル
115  ユーザ機器、UE
115-a  UE
115-b  UE
115-c  装置
115-d  装置
115-e  ユーザ機器、UE、機器、モバイルデバイス
120  コントローラ
125  通信リンク
130  コアネットワーク
130-a  コアネットワーク
132  バックホール
134  バックホールリンク
205  基地局受信機モジュール
210  ハンドオーバ管理モジュール、ハンドオーバ制御モジュール
210-a  ハンドオーバ制御モジュール
210-b  装置
210-c  装置
215  送信機モジュール
305  重み係数適用モジュール
305-a  重み係数適用モジュール
310  ハンドオーバ管理モジュール
310-a  ハンドオーバ管理モジュール
310-b  ハンドオーバ管理モジュール
405  重み付きアップリンクサブモジュール
410  重み付きダウンリンクサブモジュール
415  重み係数比較サブモジュール
505  測定報告分析サブモジュール
505-a  測定報告分析モジュール
510  負荷比較サブモジュール
515  ハンドオーバトリガサブモジュール
520  ハンドオーバ持ち越しサブモジュール
600  通信システム、システム
605  電力ヘッドルーム報告サブモジュール
610  バッファ状態報告サブモジュール
615  ライズオーバサーマル報告サブモジュール
620  物理リソースブロック報告サブモジュール
625  ダウンリンク報告サブモジュール
645  アンテナ
650  トランシーバモジュール
660  通信管理モジュール
665  基地局通信モジュール
670  プロセッサモジュール
675  ネットワーク通信モジュール
680  メモリ
685  コンピュータ可読コンピュータ実行可能ソフトウェアコード、ソフトウェアコード
705  UE受信機モジュール、受信機モジュール
710  重み割当てモジュール
710-a  重み割当てモジュール
710-b  重み割当てモジュール
715  UE送信機モジュール、ユーザ機器送信機モジュール、送信機モジュール
805  動的重み割当てサブモジュール
810  プリセット重み割当てサブモジュール
815  プロセッサモジュール
820  メモリモジュール
825  コンピュータ可読コンピュータ実行可能ソフトウェア(SW)コード、ソフトウェアコード
830  バス
835  トランシーバモジュール
845  アンテナ
【図１】
2017511623.tif 000003
【図２】
2017511623.tif 000004
【図３】
2017511623.tif 000005
【図４】
2017511623.tif 000006
【図５】
2017511623.tif 000007
【図６】
2017511623.tif 000008
【図７】
2017511623.tif 000009
【図８Ａ】
2017511623.tif 000010
【図８Ｂ】
2017511623.tif 000011
【図９】
2017511623.tif 000012
【図１０】
2017511623.tif 000013
【図１１】
2017511623.tif 000014
【図１２】
2017511623.tif 000015
【図１３】
2017511623.tif 000016
【図１４】
2017511623.tif 000017
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
ワイヤレス通信におけるユーザ機器UEのハンドオーバプロセスを管理するための方法であって、
サービング基地局において、少なくとも1つのアップリンクメトリックを受信するステップであって、前記アップリンクメトリックが第1の重み係数に関連付けられており、前記第1の重み係数がアップリンクデータ転送の重要性レベルに関連付けられている、ステップと、
重み付きアップリンクメトリックを生成するために、前記アップリンクメトリックに前記第1の重み係数を適用するステップと、
前記サービング基地局において、少なくとも1つのダウンリンクメトリックを受信するステップであって、前記ダウンリンクメトリックが第2の重み係数に関連付けられており、前記第2の重み係数がダウンリンクデータ転送の重要性レベルに関連付けられている、ステップと、
重み付きダウンリンクメトリックを生成するために、前記ダウンリンクメトリックに前記第2の重み係数を適用するステップと、
前記重み付きダウンリンクメトリックと前記重み付きアップリンクメトリックとの比較に少なくとも部分的に基づいて、前記サービング基地局からターゲット基地局へのハンドオーバプロセスを持ち越すステップであって、前記ハンドオーバプロセスを持ち越すステップが、前記ハンドオーバプロセスを防止する、抑制する、延期する、または停止するステップを備え得る、ステップと
を備える方法。
【請求項２】
前記アップリンクメトリックが、電力ヘッドルーム報告(PHR)、バッファ状態報告(BSR)、ライズオーバサーマル(RoT)報告、および物理リソースブロック(PRB)負荷報告のうちの少なくとも1つを備える、請求項1に記載の方法。
【請求項３】
前記ハンドオーバプロセスを持ち越すステップが、
前記サービング基地局が連続する負の電力ヘッドルーム報告(PHR)を受信していることと、前記バッファ状態報告(BSR)が空でないバッファを示すこととを決定するステップを備える、請求項2に記載の方法。
【請求項４】
前記受信されたPHRおよびBSRに少なくとも部分的に基づいて、前記サービング基地局および少なくとも1つの隣接基地局の関する基準信号受信電力(RSRP)報告を要求するステップと、
前記要求に応じて前記サービング基地局および少なくとも1つの隣接基地局に関するRSRP報告を受信するステップと、
前記受信されたRSRP報告の降順に隣接物理セル識別子(PSI)を並べ替えるステップと
をさらに備える、請求項2に記載の方法。
【請求項５】
前記ハンドオーバプロセスを持ち越すステップが、
ターゲットセルのRoTを受信するステップと、
サービングセルのRoTが前記ターゲットセルのRoTよりも大きいことを決定するステップと
を備える、請求項2に記載の方法。
【請求項６】
前記ハンドオーバプロセスを持ち越すステップが、
ターゲットセルのアップリンクPRB負荷がサービングセルのアップリンクPRB負荷未満であることを決定するステップを備える、請求項2に記載の方法。
【請求項７】
ハンドオーバイベントトリガが生じた後、前記ハンドオーバプロセスを持ち越すステップであって、前記ハンドオーバイベントトリガが、基準信号受信電力(RSRP)メトリックまたは基準信号受信品質(RSRQ)メトリックのうちの一方に少なくとも部分的に基づいている、ステップをさらに備える、請求項1に記載の方法。
【請求項８】
ハンドオーバイベントトリガの発生の前に、前記ハンドオーバプロセスを持ち越すステップであって、前記ハンドオーバイベントトリガが、基準信号受信電力(RSRP)メトリックまたは基準信号受信品質(RSRQ)メトリックのうちの一方に少なくとも部分的に基づいている、ステップをさらに備える、請求項1に記載の方法。
【請求項９】
前記第1の重み係数が、ユーザ定義され、前記サービング基地局において受信される、請求項1に記載の方法。
【請求項１０】
前記第1の重み係数が、プリセットされ、前記サービング基地局において受信される、請求項1に記載の方法。
【請求項１１】
前記第1の重み係数が、前記サービング基地局によって設定される、請求項1に記載の方法。
【請求項１２】
ワイヤレス通信におけるユーザ機器(UE)のハンドオーバプロセスを管理するための装置であって、
サービング基地局において、少なくとも1つのアップリンクメトリックを受信するための手段であって、前記アップリンクメトリックが第1の重み係数に関連付けられており、前記第1の重み係数がアップリンクデータ転送の重要性レベルに関連付けられている、手段と、
重み付きアップリンクメトリックを生成するために、前記アップリンクメトリックに前記第1の重み係数を適用するための手段と、
前記サービング基地局において、少なくとも1つのダウンリンクメトリックを受信するための手段であって、前記ダウンリンクメトリックが、第2の重み係数に関連付けられており、前記第2の重み係数が、ダウンリンクデータ転送の重要性レベルに関連付けられている、手段と、
重み付きダウンリンクメトリックを生成するために、前記ダウンリンクメトリックに前記第2の重み係数を適用するための手段と、
前記重み付きダウンリンクメトリックと前記重み付きアップリンクメトリックとの比較に少なくとも部分的に基づいて、前記サービング基地局からターゲット基地局へのハンドオーバプロセスを持ち越すための手段と
を備える装置。
【請求項１３】
前記アップリンクメトリックが、電力ヘッドルーム報告(PHR)、バッファ状態報告(BSR)、ライズオーバサーマル(RoT)報告、および物理リソースブロック(PRB)負荷報告のうちの少なくとも1つを備える、請求項12に記載の装置。
【請求項１４】
前記ハンドオーバプロセスを持ち越すための手段が、
前記サービング基地局が連続する負の電力ヘッドルーム報告(PHR)を受信していることと、前記バッファ状態報告(BSR)が空でないバッファを示すこととを決定するための手段を備える、請求項13に記載の装置。
【請求項１５】
前記受信されたPHRおよびBSRに少なくとも部分的に基づいて、前記サービング基地局および少なくとも1つの隣接基地局の関する基準信号受信電力(RSRP)報告を要求するための手段と、
前記要求に応じて前記サービング基地局および少なくとも1つの隣接基地局に関するRSRP報告を受信するための手段と、
前記受信されたRSRP報告の降順に隣接物理セル識別子(PCI)を並べ替えるための手段と
をさらに備える、請求項13に記載の装置。
【請求項１６】
前記ハンドオーバプロセスを持ち越すための手段が、
サービングセルのRoTがターゲットセルのRoTよりも大きいことを決定するための手段を備える、請求項13に記載の装置。
【請求項１７】
前記ハンドオーバプロセスを持ち越すための手段が、
ターゲットセルのアップリンクPRB負荷がサービングセルのアップリンクPRB負荷未満であることを決定するための手段を備える、請求項13に記載の装置。
【請求項１８】
ハンドオーバイベントトリガが生じた後、前記ハンドオーバプロセスを持ち越すための手段であって、前記ハンドオーバイベントトリガが、基準信号受信電力(RSRP)メトリックまたは基準信号受信品質(RSRQ)メトリックのうちの一方に少なくとも部分的に基づいている、手段をさらに備える、請求項12に記載の装置。
【請求項１９】
ユーザ機器(UE)のネットワークハンドオーバを準備するための装置であって、
プロセッサと、
前記プロセッサと電子通信するメモリと
を備え、前記メモリが、命令を具体化し、前記命令が、
サービング基地局において、少なくとも1つのアップリンクメトリックを受信することであって、前記アップリンクメトリックが第1の重み係数に関連付けられており、前記第1の重み係数がアップリンクデータ転送の重要性レベルに関連付けられている、ことと、
重み付きアップリンクメトリックを生成するために、前記アップリンクメトリックに前記第1の重み係数を適用することと、
前記重み付きアップリンクメトリックに少なくとも部分的に基づいて、前記サービング基地局からターゲット基地局へのハンドオーバプロセスを持ち越すことと、
サービング基地局において、少なくとも1つのダウンリンクメトリックを受信することであって、前記ダウンリンクメトリックが第2の重み係数に関連付けられており、前記第2の重み係数が、ダウンリンクデータ転送の重要性レベルに関連付けられている、ことと、
重み付きダウンリンクメトリックを生成するために、前記ダウンリンクメトリックに前記第2の重み係数を適用することと、
前記重み付きダウンリンクメトリックと前記重み付きアップリンクメトリックとの比較に少なくとも部分的に基づいて、前記サービング基地局からターゲット基地局へのハンドオーバプロセスをトリガすることとを行うために、前記プロセッサによって実行可能である、装置。
【請求項２０】
ユーザ機器(UE)のハンドオーバプロセスを管理するための方法であって、
ユーザ機器(UE)において、測定制御メッセージを受信するステップであって、前記測定制御メッセージが、1つまたは複数の報告しきい値を前記UEに提供する、ステップと、
前記測定制御メッセージに応答して、少なくとも1つのアップリンクメトリックを送信するステップであって、前記少なくとも1つのアップリンクメトリックが、第1の重み係数に関連付けられている、ステップと
を備える方法。
【国際調査報告】
2017511623.tif 000018
2017511623.tif 000019
2017511623.tif 000020